(57)【要約】【目的】信号処理回路の出力差を是正する。【構成】第１フィールドにおいては，ハニカム配列の第４ｎ＋１行のフォトダイオードに蓄積されたＲ成分の信号電荷またはＢ成分の信号電荷が第１の信号処理回路に入力し，第４ｎ＋２行のＧ成分の信号電荷が第２の信号処理回路に入力する。第２フィールドにおいては，第４ｎ＋３行のＲ成分またはＢ成分の信号電荷が第２の信号処理回路に入力し，第４ｎ＋４行のＧ成分の信号電荷が第１の信号処理回路に入力する。第１の信号処理回路および第２の信号処理回路には色成分が平均的となるように入力するので，第１と第２の信号処理回路の出力差があっても是正できる。【選択図】図５
2009065506.tif 000002
【特許請求の範囲】
【請求項１】
奇数列奇数行および偶数行偶数列または奇数行偶数列および偶数行奇数列に光電変換素子が配列されているハニカム配列のものであり，奇数行または偶数行には赤色の光成分を透過する特性を有する赤色フィルタが受光面上に形成されている赤色用光電変換素子と青色の光成分を透過する特性を有する青色フィルタが受光面上に形成されている青色用光電変換素子とが交互に配列されており，偶数行または奇数行には緑色の光成分を透過する特性を有する緑色フィルタが受光面上に形成されている緑色用光電変換素子が配列され，２行おきに第１フィールドと第２フィールドとに規定されている多数の光電変換素子，
上記多数の光電変換素子の各列に隣接して設けられ，上記多数の光電変換素子のそれぞれに蓄積された信号電荷を垂直方向に転送する垂直転送路，
上記垂直転送路から転送されてきた２行分の信号電荷を１行として水平方向に転送する水平転送路，
上記水平転送路を水平転送されてきた信号電荷を映像信号として出力する第１の出力回路および第２の出力回路，ならびに
第１フィールドの光電変換素子に蓄積された信号電荷を映像信号として読み出すときには，奇数行の光電変換素子に蓄積された信号電荷を上記第１の出力回路に与え，かつ偶数行の光電変換素子に蓄積された信号電荷を上記第２の出力回路に与え，第２フィールドの光電変換素子に蓄積された信号電荷を映像信号として読み出すときには奇数行の光電変換素子に蓄積された信号電荷を上記第２の出力回路に与え，偶数行の光電変換素子に蓄積された信号電荷を上記第１の出力回路に与えるように上記多数の光電変換素子，上記垂直転送路および上記水平転送路を制御する制御装置，
を備えた固体電子撮像装置。
【請求項２】
奇数列奇数行および偶数行偶数列または奇数行偶数列および偶数行奇数列に光電変換素子が配列されているハニカム配列のものであり，奇数行または偶数行には赤色の光成分を透過する特性を有する赤色フィルタが受光面上に形成されている赤色用光電変換素子と青色の光成分を透過する特性を有する青色フィルタが受光面上に形成されている青色用光電変換素子とが交互に配列されており，偶数行または奇数行には緑色の光成分を透過する特性を有する緑色フィルタが受光面上に形成されている緑色用光電変換素子が配列され，２行おきに第１フィールドと第２フィールドとに規定されている多数の光電変換素子，
上記多数の光電変換素子の各列に隣接して設けられ，上記多数の光電変換素子のそれぞれに蓄積された信号電荷を垂直方向に転送する垂直転送路，
上記垂直転送路から転送されてきた２行分の信号電荷を１行として水平方向に転送する水平転送路，
上記水平転送路を水平転送されてきた信号電荷を映像信号として出力する第１の出力回路および第２の出力回路，ならびに
第１フィールドの光電変換素子に蓄積された信号電荷を映像信号して読み出すときには青色用光電変換素子および緑色用光電変換素子にそれぞれ蓄積された信号電荷を上記第１の出力回路に与え，赤色用光電変換素子および緑色用光電変換素子のそれぞれに蓄積された信号電荷を第２の出力回路に与え，第２フィールドの光電変換素子に蓄積された信号電荷を映像信号として読み出すときには赤色用光電変換素子および緑色用光電変換素子にそれぞれ蓄積された信号電荷を第１の出力回路に与え，青色用光電変換素子および緑色用光電変換素子にそれぞれ蓄積された信号電荷を第２の出力回路に与えるように，上記多数の光電変換素子，上記垂直転送路および上記水平転送路を制御する制御装置，
を備えた固体電子撮像装置。
【請求項３】
奇数行または偶数行には青色の光成分を透過する特性を有する青色フィルタが受光面上に形成されている青色用光電変換素子と緑色の光成分を透過する特性を有する緑色フィルタが受光面上に形成されている緑色用光電変換素子とが交互に配列され，偶数行または奇数行には赤色の光成分を透過する特性を有する赤色フィルタが受光面上に形成されている赤色用光電変換素子と緑色用光電変換素子とが交互に配列されているベイヤ配列の多数の光電変換素子，
上記多数の光電変換素子の各列に隣接して設けられ，上記多数の光電変換素子のそれぞれに蓄積された信号電荷を垂直方向に転送する垂直転送路，
上記垂直転送路から転送されてきた信号電荷を１行ずつ水平方向に転送する水平転送路，
上記水平転送路を水平転送されてきた信号電荷を映像信号として出力する第１の出力回路および第２の出力回路，ならびに
第１フィールドの光電変換素子に蓄積された信号電荷を映像信号として読み出すときには，奇数行の光電変換素子に蓄積された信号電荷を上記第１の出力回路に与え，かつ偶数行の光電変換素子に蓄積された信号電荷を上記第２の出力回路に与え，第２フィールドの光電変換素子に蓄積された信号電荷を映像信号として読み出すときには奇数行の光電変換素子に蓄積された信号電荷を上記第２の出力回路に与え，偶数行の光電変換素子に蓄積された信号電荷を上記第１の出力回路に与えるように上記多数の光電変換素子，上記垂直転送路および上記水平転送路を制御する制御装置，
を備えた固体電子撮像装置。
【請求項４】
奇数列奇数行および偶数行偶数列または奇数行偶数列および偶数行奇数列に光電変換素子が配列されているハニカム配列のものであり，奇数行または偶数行には赤色の光成分を透過する特性を有する赤色フィルタが受光面上に形成されている赤色用光電変換素子と青色の光成分を透過する特性を有する青色フィルタが受光面上に形成されている青色用光電変換素子とが交互に配列されており，偶数行または奇数行には緑色の光成分を透過する特性を有する緑色フィルタが受光面上に形成されている緑色用光電変換素子が配列され，２行おきに第１フィールドと第２フィールドとに規定され，かつ第１フィールドの光電変換素子が偶数フィールドと奇数フィールドとにさらに規定されている多数の光電変換素子，
上記多数の光電変換素子の各列に隣接して設けられ，上記多数の光電変換素子のそれぞれに蓄積された信号電荷を垂直方向に転送する垂直転送路，
上記垂直転送路から転送されてきた２行分の信号電荷を１行として水平方向に転送する水平転送路，
上記水平転送路を水平転送されてきた信号電荷を映像信号として出力する第１の出力回路および第２の出力回路，ならびに
第１フィールドのうち偶数フィールドの光電変換素子に蓄積された信号電荷を映像信号として読み出すときには，青色用光電変換素子および緑色用光電変換素子に蓄積された信号電荷を第１の出力回路に与え，赤色用光電変換素子および緑色用光電変換素子に蓄積された信号電荷を第２の出力回路に与え，第１フィールドのうち奇数フィールドの光電変換素子に蓄積された信号電荷を映像信号として読み出すときには，赤色用光電変換素子および緑色用光電変換素子に蓄積された信号電荷を第１の出力回路に与え，青色用光電変換素子および緑色用光電変換素子に蓄積された信号電荷を第２の出力回路に与えるように上記多数の光電変換素子，上記垂直転送路および上記水平転送路を制御する制御装置，
を備えた固体電子撮像装置。
【請求項５】
一の緑色用光電変換素子に蓄積された信号電荷にもとづいて得られる緑色用映像信号と上記一の緑色用光電変換素子に隣接した他の緑色用光電変換素子に蓄積された信号電荷にもとづいて得られる緑色用映像信号とのレベル差が所定レベル以上のときに上記第１の出力回路と上記第２の出力回路とから出力される映像信号のノイズ成分を除去するノイズ除去装置，
を備えた請求項１から４のうちいずれか一項に記載の固体電子撮像装置。
【請求項６】
上記第１の出力回路および上記第２の出力回路から出力される映像信号を増幅する増幅回路をさらに備え，
上記制御装置は，上記増幅回路の増幅率が所定値以上の場合に上記制御動作が行われ，上記増幅回路の増幅率が所定値未満の場合に上記の制御動作を停止するものである，
請求項１から５のうちいずれか一項に記載の固体電子撮像装置。
【請求項７】
駆動信号にしたがって駆動し，上記第１の出力回路および上記第２の出力回路から出力された映像信号に対して所定の信号処理を行う信号処理回路をさらに備え，
上記制御装置は，上記信号処理回路の駆動信号の周波数が所定値以上の場合に上記の制御動作が行われ，上記信号処理回路の駆動信号の周波数が所定値未満の場合に上記の制御動作を停止するものである，
請求項１から６のうちいずれか一項に記載の固体電子撮像装置。
【請求項８】
奇数列奇数行および偶数行偶数列または奇数行偶数列および偶数行奇数列に光電変換素子が配列されているハニカム配列のものであり，奇数行または偶数行には赤色の光成分を透過する特性を有する赤色フィルタが受光面上に形成されている赤色用光電変換素子と青色の光成分を透過する特性を有する青色フィルタが受光面上に形成されている青色用光電変換素子とが交互に配列されており，偶数行または奇数行には緑色の光成分を透過する特性を有する緑色フィルタが受光面上に形成されている緑色用光電変換素子が配列され，２行おきに第１フィールドと第２フィールドとに規定されている多数の光電変換素子を備えた固体電子撮像装置の動作制御方法において，
垂直転送路が，上記多数の光電変換素子の各列に隣接して設けられ，上記多数の光電変換素子のそれぞれに蓄積された信号電荷を垂直方向に転送し，
水平転送路が，上記垂直転送路から転送されてきた２行分の信号電荷を１行として水平方向に転送し，
第１の出力回路および第２の出力回路が，上記水平転送路を水平転送されてきた信号電荷を映像信号として出力し，
制御装置が，第１フィールドの光電変換素子に蓄積された信号電荷を映像信号として読み出すときには，奇数行の光電変換素子に蓄積された信号電荷を上記第１の出力回路に与え，かつ偶数行の光電変換素子に蓄積された信号電荷を上記第２の出力回路に与え，第２フィールドの光電変換素子に蓄積された信号電荷を映像信号として読み出すときには奇数行の光電変換素子に蓄積された信号電荷を上記第２の出力回路に与え，偶数行の光電変換素子に蓄積された信号電荷を上記第１の出力回路に与えるように上記多数の光電変換素子，上記垂直転送路および上記水平転送路を制御する，
固体電子撮像装置の動作制御方法。
【請求項９】
奇数列奇数行および偶数行偶数列または奇数行偶数列および偶数行奇数列に光電変換素子が配列されているハニカム配列のものであり，奇数行または偶数行には赤色の光成分を透過する特性を有する赤色フィルタが受光面上に形成されている赤色用光電変換素子と青色の光成分を透過する特性を有する青色フィルタが受光面上に形成されている青色用光電変換素子とが交互に配列されており，偶数行または奇数行には緑色の光成分を透過する特性を有する緑色フィルタが受光面上に形成されている緑色用光電変換素子が配列され，２行おきに第１フィールドと第２フィールドとに規定されている多数の光電変換素子を備えた固体電子撮像装置の動作制御方法において，
垂直転送路が，上記多数の光電変換素子の各列に隣接して設けられ，上記多数の光電変換素子のそれぞれに蓄積された信号電荷を垂直方向に転送し，
水平転送路が，上記垂直転送路から転送されてきた２行分の信号電荷を１行として水平方向に転送し，
第１の出力回路および第２の出力回路が，上記水平転送路を水平転送されてきた信号電荷を映像信号として出力し，
制御装置が，第１フィールドの光電変換素子に蓄積された信号電荷を映像信号して読み出すときには青色用光電変換素子および緑色用光電変換素子にそれぞれ蓄積された信号電荷を上記第１の出力回路に与え，赤色用光電変換素子および緑色用光電変換素子のそれぞれに蓄積された信号電荷を第２の出力回路に与え，第２フィールドの光電変換素子に蓄積された信号電荷を映像信号として読み出すときには赤色用光電変換素子および緑色用光電変換素子にそれぞれ蓄積された信号電荷を第１の出力回路に与え，青色用光電変換素子および緑色用光電変換素子にそれぞれ蓄積された信号電荷を第２の出力回路に与えるように，上記多数の光電変換素子，上記垂直転送路および上記水平転送路を制御する，
固体電子撮像装置の動作制御方法。
【請求項１０】
奇数行または偶数行には青色の光成分を透過する特性を有する青色フィルタが受光面上に形成されている青色用光電変換素子と緑色の光成分を透過する特性を有する緑色フィルタが受光面上に形成されている緑色用光電変換素子とが交互に配列され，偶数行または奇数行には赤色の光成分を透過する特性を有する赤色フィルタが受光面上に形成されている赤色用光電変換素子と緑色用光電変換素子とが交互に配列されているベイヤ配列の多数の光電変換素子を備えた固体電子撮像装置において，
垂直転送路が，上記多数の光電変換素子の各列に隣接して設けられ，上記多数の光電変換素子のそれぞれに蓄積された信号電荷を垂直方向に転送し，
水平転送路が，上記垂直転送路から転送されてきた信号電荷を１行ずつ水平方向に転送し，
第１の出力回路および第２の出力回路が，上記水平転送路を水平転送されてきた信号電荷を映像信号として出力し，
制御装置が，第１フィールドの光電変換素子に蓄積された信号電荷を映像信号として読み出すときには，奇数行の光電変換素子に蓄積された信号電荷を上記第１の出力回路に与え，かつ偶数行の光電変換素子に蓄積された信号電荷を上記第２の出力回路に与え，第２フィールドの光電変換素子に蓄積された信号電荷を映像信号として読み出すときには奇数行の光電変換素子に蓄積された信号電荷を上記第２の出力回路に与え，偶数行の光電変換素子に蓄積された信号電荷を上記第１の出力回路に与えるように上記多数の光電変換素子，上記垂直転送路および上記水平転送路を制御する，
固体電子撮像装置の動作制御方法。
【請求項１１】
奇数列奇数行および偶数行偶数列または奇数行偶数列および偶数行奇数列に光電変換素子が配列されているハニカム配列のものであり，奇数行または偶数行には赤色の光成分を透過する特性を有する赤色フィルタが受光面上に形成されている赤色用光電変換素子と青色の光成分を透過する特性を有する青色フィルタが受光面上に形成されている青色用光電変換素子とが交互に配列されており，偶数行または奇数行には緑色の光成分を透過する特性を有する緑色フィルタが受光面上に形成されている緑色用光電変換素子が配列され，２行おきに第１フィールドと第２フィールドとに規定され，かつ第１フィールドの光電変換素子が偶数フィールドと奇数フィールドとにさらに規定されている多数の光電変換素子を備えた固体電子撮像装置において，
垂直転送路が，上記多数の光電変換素子の各列に隣接して設けられ，上記多数の光電変換素子のそれぞれに蓄積された信号電荷を垂直方向に転送し，
水平転送路が，上記垂直転送路から転送されてきた２行分の信号電荷を１行として水平方向に転送し，
第１の出力回路および第２の出力回路が，上記水平転送路を水平転送されてきた信号電荷を映像信号として出力し，
制御装置が，第１フィールドのうち偶数フィールドの光電変換素子に蓄積された信号電荷を映像信号として読み出すときには，青色用光電変換素子および緑色用光電変換素子に蓄積された信号電荷を第１の出力回路に与え，赤色用光電変換素子および緑色用光電変換素子に蓄積された信号電荷を第２の出力回路に与え，第１フィールドのうち奇数フィールドの光電変換素子に蓄積された信号電荷を映像信号として読み出すときには，赤色用光電変換素子および緑色用光電変換素子に蓄積された信号電荷を第１の出力回路に与え，青色用光電変換素子および緑色用光電変換素子に蓄積された信号電荷を第２の出力回路に与えるように上記多数の光電変換素子，上記垂直転送路および上記水平転送路を制御する，
固体電子撮像装置の動作制御方法。
【発明の詳細な説明】
【技術分野】
【０００１】
この発明は，固体電子撮像装置およびその動作制御方法に関する。
【背景技術】
【０００２】
ＣＣＤ，ＣＭＯＳなどの固体電子撮像素子においては，固体電子撮像素子を構成するフォトダイオードのうち奇数行または偶数行のフォトダイオードに蓄積された信号電荷を第１の出力回路から第１の映像信号として出力し，偶数行または奇数行のフォトダイオードに蓄積された信号電荷を第２の出力回路から第２の映像信号として出力するものがある。第１の出力回路から出力された第１の映像信号は第１の信号処理回路において所定の信号処理が行われ，第２の出力回路から出力された第２の映像信号は第２の信号処理回路において所定の信号処理が行われる。
【０００３】
第１の信号処理回路と第２の信号処理回路とは完全には同じ入出力特性を有するものでは無いから同じ信号レベルの映像信号が第１の信号処理回路と第２の信号処理回路とに入力して同じ信号処理が行われても出力時の映像信号レベルは異なることがある。同じレベルの第１の映像信号と第２の映像信号とが，第１の信号処理回路と第２の信号処理回路とにそれぞれ入力した場合には同じ信号レベルとなるようにフィードバック処理を行うものや（特許文献１），補正するものがあるが（特許文献２），いずれも処理が比較的煩雑となってしまう。
【特許文献１】特開平６−46432号公報
【特許文献２】特開2005-64730号公報
【発明の開示】
【０００４】
この発明は，第１の信号処理回路と第２の信号処理回路とからそれぞれ出力される第１の映像信号と第２の映像信号との出力差を比較的簡単に是正させることを目的とする。
【０００５】
第１の発明による固体電子撮像装置は，奇数列奇数行および偶数行偶数列または奇数行偶数列および偶数行奇数列に光電変換素子が配列されているハニカム配列のものであり，奇数行または偶数行には赤色の光成分を透過する特性を有する赤色フィルタが受光面上に形成されている赤色用光電変換素子と青色の光成分を透過する特性を有する青色フィルタが受光面上に形成されている青色用光電変換素子とが交互に配列されており，偶数行または奇数行には緑色の光成分を透過する特性を有する緑色フィルタが受光面上に形成されている緑色用光電変換素子が配列され，２行おきに第１フィールドと第２フィールドとに規定されている多数の光電変換素子，上記多数の光電変換素子の各列に隣接して設けられ，上記多数の光電変換素子のそれぞれに蓄積された信号電荷を垂直方向に転送する垂直転送路，上記垂直転送路から転送されてきた２行分の信号電荷を１行として水平方向に転送する水平転送路，上記水平転送路を水平転送されてきた信号電荷を映像信号として出力する第１の出力回路および第２の出力回路，ならびに第１フィールドの光電変換素子に蓄積された信号電荷を映像信号として読み出すときには，奇数行の光電変換素子に蓄積された信号電荷を上記第１の出力回路に与え，かつ偶数行の光電変換素子に蓄積された信号電荷を上記第２の出力回路に与え，第２フィールドの光電変換素子に蓄積された信号電荷を映像信号として読み出すときには奇数行の光電変換素子に蓄積された信号電荷を上記第２の出力回路に与え，偶数行の光電変換素子に蓄積された信号電荷を上記第１の出力回路に与えるように上記多数の光電変換素子，上記垂直転送路および上記水平転送路を制御する制御装置を備えていることを特徴とする。
【０００６】
第１の発明は，上記固体電子撮像装置の動作制御方法も提供している。すなわち，この方法は，奇数列奇数行および偶数行偶数列または奇数行偶数列および偶数行奇数列に光電変換素子が配列されているハニカム配列のものであり，奇数行または偶数行には赤色の光成分を透過する特性を有する赤色フィルタが受光面上に形成されている赤色用光電変換素子と青色の光成分を透過する特性を有する青色フィルタが受光面上に形成されている青色用光電変換素子とが交互に配列されており，偶数行または奇数行には緑色の光成分を透過する特性を有する緑色フィルタが受光面上に形成されている緑色用光電変換素子が配列され，２行おきに第１フィールドと第２フィールドとに規定されている多数の光電変換素子を備えた固体電子撮像装置の動作制御方法において，垂直転送路が，上記多数の光電変換素子の各列に隣接して設けられ，上記多数の光電変換素子のそれぞれに蓄積された信号電荷を垂直方向に転送し，水平転送路が，上記垂直転送路から転送されてきた２行分の信号電荷を１行として水平方向に転送し，第１の出力回路および第２の出力回路が，上記水平転送路を水平転送されてきた信号電荷を映像信号として出力し，制御装置が，第１フィールドの光電変換素子に蓄積された信号電荷を映像信号として読み出すときには，奇数行の光電変換素子に蓄積された信号電荷を上記第１の出力回路に与え，かつ偶数行の光電変換素子に蓄積された信号電荷を上記第２の出力回路に与え，第２フィールドの光電変換素子に蓄積された信号電荷を映像信号として読み出すときには奇数行の光電変換素子に蓄積された信号電荷を上記第２の出力回路に与え，偶数行の光電変換素子に蓄積された信号電荷を上記第１の出力回路に与えるように上記多数の光電変換素子，上記垂直転送路および上記水平転送路を制御するものである。
【０００７】
第１の発明によると，第１フィールドの光電変換素子に蓄積された信号電荷を映像信号として読み出すときには，奇数行の光電変換素子に蓄積された信号電荷を上記第１の出力回路に与え，かつ偶数行の光電変換素子に蓄積された信号電荷を上記第２の出力回路に与え，第２フィールドの光電変換素子に蓄積された信号電荷を映像信号として読み出すときには奇数行の光電変換素子に蓄積された信号電荷を上記第２の出力回路に与え，偶数行の光電変換素子に蓄積された信号電荷を上記第１の出力回路に与えるようにしているので，奇数行の光電変換素子に蓄積された信号電荷にもとづく映像信号は第１フィールドでは第１の出力回路から出力され，第２フィールドでは第２の出力回路から出力される。また，偶数行の光電変換素子に蓄積された信号電荷にもとづく映像信号は第１フィールドでは第２の出力回路から出力され，第２フィールドでは第１の出力回路から出力される。奇数行には，たとえば，赤色用光電変換素子と青色用光電変換素子とが交互に配列され，偶数行には，たとえば，緑色用光電変換素子が配列されているから，第１フィールドでは，第１の出力回路からは赤色を示す映像信号と青色を示す映像信号が出力され，第２の出力回路からは緑色を示す映像信号から出力され，第２フィールドでは第１の出力回路からは緑色を示す映像信号が出力され，第２の出力回路からは青色を示す映像信号と赤色を示す映像信号とが出力される。
【０００８】
同じ色の成分の映像信号が第１の出力回路と第２の出力回路とから出力される割合がほぼ均等となるので，色成分ごとに異なる信号処理を行っても特定の色成分の映像信号だけがその他の色成分の映像信号と特性が変わってしまうことを未然に防止できる。第１の出力回路から出力された映像信号を第１の信号処理回路に入力し，第２の出力回路から出力された映像信号を第２の信号処理回路に入力しても，第１の信号処理回路からの出力信号の特性と第２の信号処理回路からの出力信号の特性とをほぼ一致させることができる。
【０００９】
第２の発明による固体電子撮像装置は，奇数列奇数行および偶数行偶数列または奇数行偶数列および偶数行奇数列に光電変換素子が配列されているハニカム配列のものであり，奇数行または偶数行には赤色の光成分を透過する特性を有する赤色フィルタが受光面上に形成されている赤色用光電変換素子と青色の光成分を透過する特性を有する青色フィルタが受光面上に形成されている青色用光電変換素子とが交互に配列されており，偶数行または奇数行には緑色の光成分を透過する特性を有する緑色フィルタが受光面上に形成されている緑色用光電変換素子が配列され，２行おきに第１フィールドと第２フィールドとに規定されている多数の光電変換素子，上記多数の光電変換素子の各列に隣接して設けられ，上記多数の光電変換素子のそれぞれに蓄積された信号電荷を垂直方向に転送する垂直転送路，上記垂直転送路から転送されてきた２行分の信号電荷を１行として水平方向に転送する水平転送路，上記水平転送路を水平転送されてきた信号電荷を映像信号として出力する第１の出力回路および第２の出力回路，ならびに第１フィールドの光電変換素子に蓄積された信号電荷を映像信号して読み出すときには青色用光電変換素子および緑色用光電変換素子にそれぞれ蓄積された信号電荷を上記第１の出力回路に与え，赤色用光電変換素子および緑色用光電変換素子のそれぞれに蓄積された信号電荷を第２の出力回路に与え，第２フィールドの光電変換素子に蓄積された信号電荷を映像信号として読み出すときには赤色用光電変換素子および緑色用光電変換素子にそれぞれ蓄積された信号電荷を第１の出力回路に与え，青色用光電変換素子および緑色用光電変換素子にそれぞれ蓄積された信号電荷を第２の出力回路に与えるように，上記多数の光電変換素子，上記垂直転送路および上記水平転送路を制御する制御装置を備えていることを特徴とする。
【００１０】
第２の発明は，上記固体電子撮像装置に適した動作制御方法も提供している。すなわち，この方法は，奇数列奇数行および偶数行偶数列または奇数行偶数列および偶数行奇数列に光電変換素子が配列されているハニカム配列のものであり，奇数行または偶数行には赤色の光成分を透過する特性を有する赤色フィルタが受光面上に形成されている赤色用光電変換素子と青色の光成分を透過する特性を有する青色フィルタが受光面上に形成されている青色用光電変換素子とが交互に配列されており，偶数行または奇数行には緑色の光成分を透過する特性を有する緑色フィルタが受光面上に形成されている緑色用光電変換素子が配列され，２行おきに第１フィールドと第２フィールドとに規定されている多数の光電変換素子を備えた固体電子撮像装置の動作制御方法において，垂直転送路が，上記多数の光電変換素子の各列に隣接して設けられ，上記多数の光電変換素子のそれぞれに蓄積された信号電荷を垂直方向に転送し，水平転送路が，上記垂直転送路から転送されてきた２行分の信号電荷を１行として水平方向に転送し，第１の出力回路および第２の出力回路が，上記水平転送路を水平転送されてきた信号電荷を映像信号として出力し，制御装置が，第１フィールドの光電変換素子に蓄積された信号電荷を映像信号して読み出すときには青色用光電変換素子および緑色用光電変換素子にそれぞれ蓄積された信号電荷を上記第１の出力回路に与え，赤色用光電変換素子および緑色用光電変換素子のそれぞれに蓄積された信号電荷を第２の出力回路に与え，第２フィールドの光電変換素子に蓄積された信号電荷を映像信号として読み出すときには赤色用光電変換素子および緑色用光電変換素子にそれぞれ蓄積された信号電荷を第１の出力回路に与え，青色用光電変換素子および緑色用光電変換素子にそれぞれ蓄積された信号電荷を第２の出力回路に与えるように，上記多数の光電変換素子，上記垂直転送路および上記水平転送路を制御するものである。
【００１１】
第２の発明においても，同じ色の成分の映像信号が第１の出力回路と第２の出力回路とから出力される割合がほぼ均等となるので，色成分ごとに異なる信号処理を行っても特定の色成分の映像信号だけがその他の色成分の映像信号と特性が変わってしまうことを未然に防止できる。第１の出力回路から出力された映像信号を第１の信号処理回路に入力し，第２の出力回路から出力された映像信号を第２の信号処理回路に入力しても，第１の信号処理回路からの出力信号の特性と第２の信号処理回路からの出力信号の特性とをほぼ一致させることができる。
【００１２】
とくに，第２の発明においては，赤色の映像信号と青色の映像信号と緑色の映像信号とが，第１の出力回路と第２の出力回路とからほぼ均等に出力され，特定の色（例えば，緑色）だけが特定のフィールドにおいて第１の出力回路または第２の出力回路から連続して出力されることを未然に防止できる。このために，特定の色の映像信号だけが信号処理により強調されて，得られた画像においてその特定の色が横の筋として現れてしまうことを未然に防止できる。
【００１３】
第３の発明による固体電子撮像装置は，奇数行または偶数行には青色の光成分を透過する特性を有する青色フィルタが受光面上に形成されている青色用光電変換素子と緑色の光成分を透過する特性を有する緑色フィルタが受光面上に形成されている緑色用光電変換素子とが交互に配列され，偶数行または奇数行には赤色の光成分を透過する特性を有する赤色フィルタが受光面上に形成されている赤色用光電変換素子と緑色用光電変換素子とが交互に配列されているベイヤ配列の多数の光電変換素子，上記多数の光電変換素子の各列に隣接して設けられ，上記多数の光電変換素子のそれぞれに蓄積された信号電荷を垂直方向に転送する垂直転送路，上記垂直転送路から転送されてきた信号電荷を１行ずつ水平方向に転送する水平転送路，上記水平転送路を水平転送されてきた信号電荷を映像信号として出力する第１の出力回路および第２の出力回路，ならびに第１フィールドの光電変換素子に蓄積された信号電荷を映像信号として読み出すときには，奇数行の光電変換素子に蓄積された信号電荷を上記第１の出力回路に与え，かつ偶数行の光電変換素子に蓄積された信号電荷を上記第２の出力回路に与え，第２フィールドの光電変換素子に蓄積された信号電荷を映像信号として読み出すときには奇数行の光電変換素子に蓄積された信号電荷を上記第２の出力回路に与え，偶数行の光電変換素子に蓄積された信号電荷を上記第１の出力回路に与えるように上記多数の光電変換素子，上記垂直転送路および上記水平転送路を制御する制御装置を備えていることを特徴とする。
【００１４】
この発明は，上記固体電子撮像装置に適した動作制御方法も提供している。すなわち，この方法は，奇数行または偶数行には青色の光成分を透過する特性を有する青色フィルタが受光面上に形成されている青色用光電変換素子と緑色の光成分を透過する特性を有する緑色フィルタが受光面上に形成されている緑色用光電変換素子とが交互に配列され，偶数行または奇数行には赤色の光成分を透過する特性を有する赤色フィルタが受光面上に形成されている赤色用光電変換素子と緑色用光電変換素子とが交互に配列されているベイヤ配列の多数の光電変換素子を備えた固体電子撮像装置において，垂直転送路が，上記多数の光電変換素子の各列に隣接して設けられ，上記多数の光電変換素子のそれぞれに蓄積された信号電荷を垂直方向に転送し，水平転送路が，上記垂直転送路から転送されてきた信号電荷を１行ずつ水平方向に転送し，第１の出力回路および第２の出力回路が，上記水平転送路を水平転送されてきた信号電荷を映像信号として出力し，制御装置が，第１フィールドの光電変換素子に蓄積された信号電荷を映像信号として読み出すときには，奇数行の光電変換素子に蓄積された信号電荷を上記第１の出力回路に与え，かつ偶数行の光電変換素子に蓄積された信号電荷を上記第２の出力回路に与え，第２フィールドの光電変換素子に蓄積された信号電荷を映像信号として読み出すときには奇数行の光電変換素子に蓄積された信号電荷を上記第２の出力回路に与え，偶数行の光電変換素子に蓄積された信号電荷を上記第１の出力回路に与えるように上記多数の光電変換素子，上記垂直転送路および上記水平転送路を制御するものである。
【００１５】
第３の発明においても，第１の発明と同様に，同じ色の成分の映像信号が第１の出力回路と第２の出力回路とから出力される割合がほぼ均等となるので，色成分ごとに異なる信号処理を行っても特定の色成分の映像信号だけがその他の色成分の映像信号と特性が変わってしまうことを未然に防止できる。第１の出力回路から出力された映像信号を第１の信号処理回路に入力し，第２の出力回路から出力された映像信号を第２の信号処理回路に入力しても，第１の信号処理回路からの出力信号の特性と第２の信号処理回路からの出力信号の特性とをほぼ一致させることができる。
【００１６】
第４の発明による固体電子撮像装置は，奇数列奇数行および偶数行偶数列または奇数行偶数列および偶数行奇数列に光電変換素子が配列されているハニカム配列のものであり，奇数行または偶数行には赤色の光成分を透過する特性を有する赤色フィルタが受光面上に形成されている赤色用光電変換素子と青色の光成分を透過する特性を有する青色フィルタが受光面上に形成されている青色用光電変換素子とが交互に配列されており，偶数行または奇数行には緑色の光成分を透過する特性を有する緑色フィルタが受光面上に形成されている緑色用光電変換素子が配列され，２行おきに第１フィールドと第２フィールドとに規定され，かつ第１フィールドの光電変換素子が偶数フィールドと奇数フィールドとにさらに規定されている多数の光電変換素子，上記多数の光電変換素子の各列に隣接して設けられ，上記多数の光電変換素子のそれぞれに蓄積された信号電荷を垂直方向に転送する垂直転送路，上記垂直転送路から転送されてきた２行分の信号電荷を１行として水平方向に転送する水平転送路，上記水平転送路を水平転送されてきた信号電荷を映像信号として出力する第１の出力回路および第２の出力回路，ならびに第１フィールドのうち偶数フィールドの光電変換素子に蓄積された信号電荷を映像信号として読み出すときには，青色用光電変換素子および緑色用光電変換素子に蓄積された信号電荷を第１の出力回路に与え，赤色用光電変換素子および緑色用光電変換素子に蓄積された信号電荷を第２の出力回路に与え，第１フィールドのうち奇数フィールドの光電変換素子に蓄積された信号電荷を映像信号として読み出すときには，赤色用光電変換素子および緑色用光電変換素子に蓄積された信号電荷を第１の出力回路に与え，青色用光電変換素子および緑色用光電変換素子に蓄積された信号電荷を第２の出力回路に与えるように上記多数の光電変換素子，上記垂直転送路および上記水平転送路を制御する制御装置を備えていることを特徴とする。
【００１７】
第４の発明は，上記固体電子撮像装置の動作制御方法も提供している。すなわち，この方法は，奇数列奇数行および偶数行偶数列または奇数行偶数列および偶数行奇数列に光電変換素子が配列されているハニカム配列のものであり，奇数行または偶数行には赤色の光成分を透過する特性を有する赤色フィルタが受光面上に形成されている赤色用光電変換素子と青色の光成分を透過する特性を有する青色フィルタが受光面上に形成されている青色用光電変換素子とが交互に配列されており，偶数行または奇数行には緑色の光成分を透過する特性を有する緑色フィルタが受光面上に形成されている緑色用光電変換素子が配列され，２行おきに第１フィールドと第２フィールドとに規定され，かつ第１フィールドの光電変換素子が偶数フィールドと奇数フィールドとにさらに規定されている多数の光電変換素子を備えた固体電子撮像装置において，垂直転送路が，上記多数の光電変換素子の各列に隣接して設けられ，上記多数の光電変換素子のそれぞれに蓄積された信号電荷を垂直方向に転送し，水平転送路が，上記垂直転送路から転送されてきた２行分の信号電荷を１行として水平方向に転送し，第１の出力回路および第２の出力回路が，上記水平転送路を水平転送されてきた信号電荷を映像信号として出力し，制御装置が，第１フィールドのうち偶数フィールドの光電変換素子に蓄積された信号電荷を映像信号として読み出すときには，青色用光電変換素子および緑色用光電変換素子に蓄積された信号電荷を第１の出力回路に与え，赤色用光電変換素子および緑色用光電変換素子に蓄積された信号電荷を第２の出力回路に与え，第１フィールドのうち奇数フィールドの光電変換素子に蓄積された信号電荷を映像信号として読み出すときには，赤色用光電変換素子および緑色用光電変換素子に蓄積された信号電荷を第１の出力回路に与え，青色用光電変換素子および緑色用光電変換素子に蓄積された信号電荷を第２の出力回路に与えるように上記多数の光電変換素子，上記垂直転送路および上記水平転送路を制御するものである。
【００１８】
第４の発明においても，第１フィールドの光電変換素子に蓄積された信号電荷を奇数フィールドと偶数フィールドとに分けて映像信号として読み出す場合に，第１の発明と同様に，同じ色の成分の映像信号が第１の出力回路と第２の出力回路とから出力される割合がほぼ均等となるので，色成分ごとに異なる信号処理を行っても特定の色成分の映像信号だけがその他の色成分の映像信号と特性が変わってしまうことを未然に防止できる。第１の出力回路から出力された映像信号を第１の信号処理回路に入力し，第２の出力回路から出力された映像信号を第２の信号処理回路に入力しても，第１の信号処理回路からの出力信号の特性と第２の信号処理回路からの出力信号の特性とをほぼ一致させることができる。
【００１９】
一の緑色用光電変換素子に蓄積された信号電荷にもとづいて得られる緑色用映像信号と上記一の緑色用光電変換素子に隣接した他の緑色用光電変換素子に蓄積された信号電荷にもとづいて得られる緑色用映像信号とのレベル差が所定レベル以上のときに上記第１の出力回路と上記第２の出力回路とから出力される映像信号のノイズ成分を除去するノイズ除去装置を備えてもよい。
【００２０】
上記第１の出力回路および上記第２の出力回路から出力される映像信号を増幅する増幅回路をさらに備えてもよい。この場合，上記制御装置は，上記増幅回路の増幅率が所定値以上の場合に上記制御動作が行われ，上記増幅回路の増幅率が所定値未満の場合に上記の制御動作を停止するものとなろう。
【００２１】
駆動信号にしたがって駆動し，上記第１の出力回路および上記第２の出力回路から出力された映像信号に対して所定の信号処理を行う信号処理回路をさらに備えてもよい。この場合，上記制御装置は，上記信号処理回路の駆動信号の周波数が所定値以上の場合に上記の制御動作が行われ，上記信号処理回路の駆動信号の周波数が所定値未満の場合に上記の制御動作を停止するものとなろう。
【実施例】
【００２２】
図１は，この発明の実施例を示すもので，ＣＣＤの模式図である。
【００２３】
ＣＣＤ１には，行方向および列方向に多数のフォトダイオード２が配列されている。フォトダイオード２の配列は，いわゆるハニカム配列と呼ばれるもので，奇数行には奇数列に，偶数行には偶数列に，それぞれフォトダイオード２が配置されている。奇数行には偶数列に，偶数行には奇数列に，それぞれフォトダイオード２が配置されるようにしてもよいのは言うまでもない。奇数列のフォトダイオード２の受光面には，赤色の光成分を透過する赤色フィルタ（符号Ｒで示す）と青色の光成分を透過する青色フィルタ（符号Ｂで示す）とが交互に形成されている。偶数行のフォトダイオード２の受光面には緑色の光成分を透過する緑色フィルタ（Ｇで示す）が形成されている。また，この実施例においては，第４ｎ（ｎは０以上の整数）＋１行および第４ｎ＋２行のフォトダイオード２が第１フィールド，第４ｎ＋３行および第４ｎ＋４行のフォトダイオード２が第２フィールドと規定されている。
【００２４】
フォトダイオード２の各列の右側（左側でもよい）には，フォトダイオード２に蓄積された信号電荷を垂直方向（行方向）に転送するための垂直転送路３が形成されている。垂直転送路３の出力側（下側）には，２行分のフォトダイオード２に蓄積された信号電荷を１行として一時的に記憶するライン・メモリ４が設けられている。ライン・メモリ４と平行に水平転送路５が設けられている。ライン・メモリ４に蓄積された信号電荷のうち，所望の列のフォトダイオード２に蓄積された信号電荷がライン・メモリ４から水平転送路５にシフトされる。
【００２５】
水平転送路５には，垂直転送路３に対応して水平転送電極11〜14が形成されている。これらの水平転送電極11〜14は，連続した４つの水平転送電極11〜14が周期的に形成されており，４つおきに同一の水平転送パルスが与えられる。すなち，水平転送電極11，12，13，および14には，それぞれ水平転送パルスＨＳ１，ＨＳ２，ＨＳ３およびＨＳ４が与えられる。水平転送電極11〜14に与えられる水平転送パルスＨＳ１〜ＨＳ４を制御することにより，ライン・メモリ４に蓄積された信号電荷のうち所望の信号電荷が水平転送路５にシフトされる。水平転送路５にシフトされた信号電荷は，水平転送パルスＨＳ１〜ＨＳ４が与えられることにより，水平方向に転送されていく。
【００２６】
水平転送路５の出力側（左側）には，分岐回路６を介して第１の出力転送路７と第２の出力転送路９とが接続されている。第１の出力転送路７には第１の出力回路８が接続されており，第２の出力転送路８には第２の出力回路10が出力されている。水平転送路５を転送されてきた信号電荷は分岐パルスＰ０が与えられる分岐回路６によって，第１の出力転送路７または第２の出力転送路９のいずれか与えられるように分岐される。第１の出力転送路７および第２の出力転送路９にも複数の転送電極が形成されており，複数の転送電極に交互に水平転送パルスＨＰ１およびＨＰ２が与えられる。第１の出力転送路７に与えられた信号電荷は，第１の出力回路８から第１の映像信号として出力される。第２の出力転送路９に与えられた信号電荷は，第２の出力回路10から第２の映像信号として出力される。
【００２７】
図２は，図１に示すＣＣＤにおいて従来の読み出し方法により読み出された映像信号を示している。
【００２８】
従来の読み出し方法では，奇数行のフォトダイオード２に蓄積された信号電荷は第１の出力回路８から第１の映像信号として出力され，偶数行のフォトダイオード２に蓄積された信号電荷は第２の出力回路から第２の映像信号として出力されていた。このために，第１フィールドでは，第１の出力回路から第４ｎ＋１行のフォトダイオード２の受光面に形成されているフィルタに対応して赤色（Ｒ）信号成分と青色（Ｂ）信号成分とが交互に現れる第１の映像信号が得られる。また，第１フィールドの第２の出力回路からは，第４ｎ＋２行のフォトダイオード２の受光面に形成されているフィルタに対応して緑色（Ｇ）信号成分が連続して現れる第２の映像信号が得られる。さらに，第２フィールドの第１の出力回路からは，第４ｎ＋３行のフォトダイオード２の受光面に形成されているフィルタに対応して青色信号成分と赤色信号成分とが交互に現れる第１の映像信号が得られる。第２フィールドの第２の出力回路からは，第４ｎ＋４行のフォトダイオード２の受光面に形成されているフィルタに対応して緑色信号成分が連続して現れる第２の映像信号が得られる。このように，第１の映像信号は赤色信号成分または青色信号成分となり，第２の映像信号は緑色信号成分となる。
【００２９】
ＣＣＤ１から出力された第１の映像信号は第１の信号処理回路に入力して相関二重サンプリング，アナログ／ディジタル変換などの所定の信号処理が行われる。ＣＣＤ１から出力された第２の映像信号は第２の信号処理回路に入力して同様に所定の信号処理が行われる。
【００３０】
図３は，信号処理回路の入出力特性を示している。図３には信号処理回路の理想の入出力特性も図示されている。
【００３１】
第１の信号処理回路と第２の信号処理回路とでは入力した映像信号について同一の信号処理が行われるために，入出力特性を合わせようとしている。しかしながら，第１の信号処理回路の入出力特性と第２の信号処理回路の入出力特性とは完全には一致していない。
【００３２】
このように，第１の信号処理回路の入出力特性と第２の信号処理回路の入出力特性とが一致していないと，第１の信号処理回路に入力する前の第１の映像信号のレベルと第２の信号処理回路に入力する前の第２の映像信号のレベルとの差が無かった場合でも，第１の信号処理回路から出力された第１の映像信号のレベルと第２の信号処理回路から出力された第２の映像信号のレベルとは差が生じてしまう。第１の映像信号は赤色信号成分と青色信号成分であり，第２の映像信号は緑色信号成分であるから，レベル差が無いにも関わらず色成分ごとのレベル差が発生して色バランス調整が適正にできないことがある。
【００３３】
この発明による実施例は，第１フィールドは奇数行のフォトダイオードに蓄積された信号電荷により得られる映像信号を第１の出力回路から出力し，偶数行のフォトダイオードに蓄積された信号電荷により得られる映像信号を第２の信号処理回路から出力するが，第２フィールドは奇数行のフォトダイオードに蓄積された信号電荷により得られる映像信号を第２の出力回路から出力し，偶数行のフォトダイオードに蓄積された信号電荷により得られる映像信号を第１の出力回路から出力するものである。奇数行の信号電荷により得られる映像信号と偶数行の信号電荷により得られる映像信号とが第１の信号処理回路と第２の信号処理回路とに交互に与えられることとなるので，第１の信号処理回路の入出力特性と第２の信号処理回路の入出力特性との相違に起因する出力差を一駒の画像全体として捉えたときに是正できる。
【００３４】
図４（Ａ）は水平転送路５の構造を示し，図４（Ｂ）〜（Ｄ）は信号電荷が水平転送される様子を示している。
【００３５】
図４（Ａ）を参照して，水平転送路５は，Ｐ型基板17上にＮ層15が形成されている。Ｎ層15の上部において，Ｎ領域16が一定間隔で形成されている。Ｎ層15の上面においてＮ領域16が形成されていない部分とＮ領域とが形成されている部分に水平転送電極11〜14が周期的に形成されている。水平転送電極11，12，13，14は，それぞれ２つの電極11ａ，11ｂ，12ａ，12ｂ，13ａ，13ｂ，14ａ，14ｂから構成されている。Ｎ領域16が形成されていない部分上に電極11ａ，12ａ，13ａ，14ａが形成されており，Ｎ領域16が形成されている部分上に電極11ｂ，12ｂ，13ｂ，14ｂが形成されている。
【００３６】
図４（Ｂ）を参照して，Ｎ層15の上面においてＮ領域16が形成されていない部分とＮ領域とが形成されている部分とがあることから，Ｎ領域16が形成されていない部分には浅い電位井戸21が形成され，信号電荷を蓄積できることとなる。Ｎ領域16が形成されている部分には電位井戸は形成されていない。
【００３７】
図４（Ｃ）を参照して，水平転送電極12（12ａ，12ｂ）にＨレベルの水平転送パルスＨＳ２が与えられたものとする。すると，水平転送電極12ａの下には深い電位井戸22が形成される。上述したように，水平転送路５と接続されているライン・メモリに信号電荷が一時的に蓄積されていると，水平転送電極12ａに対応するライン・メモリの部分に蓄積されていた信号電荷23が，水平転送電極12ａに形成された深い電位井戸にシフトされることとなる。
【００３８】
図４（Ｄ）を参照して，水平転送電極11にＨレベルの水平転送パルスＨＳ１が与えられ，水平転送電極12に与えられていたＨレベルの水平転送パルスＨＳ２がＬレベルに立ち下がると，水平転送電極12下に形成されていた深い電位井戸22に蓄積されていた信号電荷が水平転送電極11下に新たに形成された電位井戸22に転送させられる。このようにして，ライン・メモリに蓄積されていた信号電荷23の水平転送路５へのシフトおよび水平転送路５での転送が行われる。
【００３９】
図５（Ａ）は第１フィールドのタイム・チャート等を示し，第５図（Ｂ）は第２フィールドのタイム・チャート等を示している。
【００４０】
図５（Ａ）を参照して，一駒分の画像の映像信号の読み出しの基準となる垂直同期信号ＶＤが発生する。また，１行分の映像信号の読み出しの基準となる水平同期信号が１Ｈごとに発生する。第１フィールドにおいては，フォトダイオード２での第４ｎ＋１行および第４ｎ＋２行または第４ｎ＋３行および第４ｎ＋４行の２行分の信号電荷の読み出しごとに水平転送路に与えられる水平転送パルス・パターンが変わる。水平同期信号の期間ＨＤ１の間はパターンＩであり，このパターンＩにしたがって水平転送路が駆動させられることにより，第１の映像信号はＲ成分のものとなり，第２の映像信号はＧ成分のものとなる。水平同期信号の期間ＨＤ２の間はパターンIIであり，このパターンIIにしたがって水平転送路が駆動させられることにより，第１の映像信号はＢ成分のものとなり，第２の映像信号はＧ成分のものとなる。このように，第１フィールドでは第１の映像信号はＲ信号成分またはＢ信号成分となり，第２の映像信号はＧ信号成分となる。
【００４１】
図５（Ｂ）を参照して，第２フィールドにおいても，フォトダイオード２での第４ｎ＋１行および第４ｎ＋２行または第４ｎ＋３行および第４ｎ＋４行の２行分の信号電荷の読み出しごとに水平転送路に与えられる水平転送パルス・パターンが変わる。水平同期信号の期間ＨＤ３の間はパターンIIIであり，このパターンIIIにしたがって水平転送路が駆動させられることにより，第１の映像信号はＧ成分のものとなり，第２の映像信号はＢ成分のものとなる。水平同期信号の期間ＨＤ４の間はパターンIVであり，このパターンIVにしたがって水平転送路が駆動させられることにより，第１の映像信号はＧ成分のものとなり，第２の映像信号はＲ成分のものとなる。このように，第２フィールドでは第１の映像信号はＧ信号成分となり，第２の映像信号はＢ信号成分またはＲ信号成分となる。
【００４２】
図６は，第１フィールドに用いられるパターンＩのタイム・チャートの一例である。図７（Ａ）〜（Ｈ）は，パターンＩのタイム・チャートにもとづいて水平転送路５が駆動させられたときの信号電荷の転送の様子を示している。
【００４３】
図７（Ａ）を参照して，第１フィールドにおいては，第４ｎ＋１行のフォトダイオード２および第４ｎ＋２行のフォトダイオード２に蓄積された信号電荷が読み出されるから，ライン・メモリ４には第４ｎ＋１行のフォトダイオード２の受光面に形成されているフィルタおよび第４ｎ＋２行のフォトダイオード２の受光面に形成されているフィルタに対応した２行分の信号電荷が蓄積される。水平転送路５の水平転送電極11，12，13，14にそれぞれ対応してＲ成分の信号電荷，Ｇ成分の信号電荷，Ｂ成分の信号電荷，Ｇ成分の信号電荷が周期的にそれぞれ蓄積される。
【００４４】
図６を参照して，時刻ｔ１においては，水平転送パルスＨＳ２がＨレベルであり，水平転送パルスＨＳ１，ＨＳ３，ＨＳ４がＬレベルである。ライン・メモリ４にシフト・パルスが与えられると，水平転送電極12の下に深い電位井戸が形成され，図７（Ｂ）に示すようにライン・メモリ４から水平転送路５にＧ成分の信号電荷がシフトされる。
【００４５】
図６を参照して，時刻ｔ２において，水平転送パルスＨＳ１がＨレベルとなり，水平転送パルスＨＳ２がＬレベルとなると，水平転送電極11の下に深い電位井戸が形成され，図７（Ｃ）に示すようにＧ成分の信号電荷が水平転送電極11の下の電位井戸に転送させられる。
【００４６】
図６を参照して，時刻ｔ３において，水平転送パルスＨＳ４がＨレベルとなり，水平転送電極14の下に深い電位井戸が形成され，図７（Ｄ）に示すようにＧ成分の信号電荷が水平転送電極14の下の電位井戸に転送させられる。
【００４７】
図６を参照して，時刻ｔ４において，水平転送パルスＨＳ３がＨレベルとなり，水平転送電極13の下に深い電位井戸が形成され，図７（Ｅ）に示すようにＧ成分の信号電荷が水平転送電極13の下の電位井戸に転送させられる。
【００４８】
図６を参照して，時刻ｔ５において水平転送パルスＨＳ１がＨレベルとなると水平転送電極11の下に深い電位井戸が形成される。水平転送電極13の下には浅い電位井戸が形成されているために，図７（Ｆ）に示すようにその浅い電位井戸にＧ成分の信号電荷が蓄積されている。
【００４９】
図６を参照して，時刻ｔ６において水平転送電極11にＨレベルの水平転送パルスＨＳ１が与えられている状態で，ライン・メモリ４にシフト・パルスが与えられると，図７（Ｇ）に示すようにライン・メモリ４から水平転送路５にＲ成分の信号電荷がシフトされる。
【００５０】
図６を参照して，時刻ｔ７において水平転送電極11にＨレベルの水平転送パルスＨＳ１が与えられ続けており，水平転送電極13にＨレベルの水平転送パルスＨＳ３が与えられると，水平転送電極11および水平転送電極13の下に深い電位井戸が形成されて，図７（Ｈ）に示すようにＲ成分の信号電荷およびＧ成分の信号電荷がそれらの深い電位井戸に蓄積される。
【００５１】
その後は，水平転送路５に蓄積されたＲ成分の信号電荷とＧ成分の信号電荷が水平転送させられるように水平転送路５が駆動させられる。Ｒ成分の信号電荷とＧ成分の信号電荷とは交互に分岐回路６に入力し，交互に入力する信号電荷が交互に第１の出力転送路７または第２の出力転送路９に振り分けられる。Ｒ成分の信号電荷は第１の出力転送路７に，Ｇ成分の信号電荷は第２の出力転送路９に与えられることとなる。したがって，第１の出力回路８からはＲ成分の第１の映像信号が出力され，第２の出力回路10からはＧ成分の第２の映像信号が出力される。
【００５２】
図８は，第１フィールドに用いられるパターンIIのタイム・チャートの一例である。図９（Ａ）から（Ｅ）は，パターンIIのタイム・チャートにもとづいて水平転送路５が駆動させられたときの信号電荷の転送の様子を示している。
【００５３】
図９（Ａ）を参照して，上述したのと同様にライン・メモリ５には水平転送路５の水平転送電極11，12，13，14に対応してＲ成分の信号電荷，Ｇ成分の信号電荷，Ｂ成分の信号電荷，Ｇ成分の信号電荷がそれぞれ蓄積される。
【００５４】
図８を参照して，時刻ｔ11において，水平転送パルスＨＳ３がＨレベルであり，水平転送パルスＨＳ１，ＨＳ２，ＨＳ４がＬレベルであり，ライン・メモリ４にシフト・パルスが与えられると，水平転送電極13の下に深い電位井戸が形成され，図９（Ｂ）に示すようにライン・メモリ４から水平転送路５にＢ成分の信号電荷がシフトされる。
【００５５】
図８を参照して，時刻ｔ12において，水平転送パルスＨＳ２がＨレベルとなり，水平転送パルスＨＳ３がＬレベルとなると，水平転送電極12の下に深い電位井戸が形成され，図９（Ｃ）に示すようにＢ成分の信号電荷が水平転送電極12の下の電位井戸に転送させられる。
【００５６】
図８を参照して，時刻ｔ13において，水平転送パルスＨＳ４がＨレベルとなり，ライン・メモリ４にシフト・パルスが与えられると，水平転送電極ＨＳ４に対応してライン・メモリ４に一時的に蓄積されていたＧ成分の信号電荷が水平転送路５にシフトされる。水平転送電極ＨＳ２の下には浅い電位井戸が形成されているから，図９（Ｄ）に示すようにＢ成分の信号電荷が蓄積されており，水平転送電極ＨＳ４の下には深い電位井戸が形成されてＧ成分の信号電荷が蓄積される。
【００５７】
図８を参照して，時刻ｔ14において，水平転送パルスＨＳ１およびＨＳ３がＨレベルとなると，水平転送電極11および13の下に深い電位井戸が形成されて，図９（Ｅ）に示すようにＢ成分の信号電荷およびＧ成分の信号電荷がそれぞれ転送させられる。
【００５８】
その後は，水平転送路５に蓄積されたＢ成分の信号電荷，Ｇ成分の信号電荷が水平転送路５内を転送させられる。Ｂ成分の信号電荷とＧ成分の信号電荷とは交互に分岐回路６に入力し，Ｂ成分の信号電荷は第１の出力転送路７に，Ｇ成分の信号電荷は第２の出力回路９に与えられる。第１の出力回路８からはＢ成分の第１の映像信号が出力され，第２の出力回路９からはＧ成分の第２の映像信号が出力される。
【００５９】
図10は，第２フィールドに用いられるパターンIIIのタイム・チャートの一例である。図11（Ａ）〜（Ｆ）は，パターンIIIのタイム・チャートにもとづいて水平転送路５が駆動させられたときの信号電荷の転送の様子を示している。
【００６０】
図11（Ａ）を参照して，第２フィールドにおいては，第４ｎ＋３行のフォトダイオード２および第４ｎ＋４行のフォトダイオード２に蓄積された信号電荷が読み出されるから，ライン・メモリ４には第４ｎ＋３行のフォトダイオード２の受光面に形成されているフィルタおよび第４ｎ＋４行のフォトダイオード２の受光面に形成されているフィルタに対応した２行分の信号電荷が蓄積される。水平転送路５の水平転送電極11，12，13，14にそれぞれ対応してＢ成分の信号電荷，Ｇ成分の信号電荷，Ｒ成分の信号電荷，Ｇ成分の信号電荷が周期的にそれぞれ蓄積される。
【００６１】
図10を参照して，時刻ｔ21において，水平転送パルスＨＳ１がＨレベルであり，水平転送パルスＨＳ２，ＨＳ３，ＨＳ４がＬレベルである。ライン・メモリ４にシフト・パルスが与えられると，水平転送電極11の下に深い電位井戸が形成され，図11（Ｂ）に示すようにライン・メモリ４から水平転送路５にＢ成分の信号電荷がシフトされる。
【００６２】
図10を参照して，時刻ｔ22において，水平転送パルスＨＳ４がＨレベルとなり，水平転送パルスＨＳ１がＬレベルとなると，水平転送電極14の下に深い電位井戸が形成され，図11（Ｃ）に示すようにＢ成分の信号電荷が水平転送電極14の下の電位井戸に転送させられる。
【００６３】
図10を参照して，時刻ｔ23において，水平転送パルスＨＳ２がＨレベルとなると，水平転送電極12の下に深い電位井戸が形成される。水平転送パルスＨＳ４はＬレベルとなっているが，図11（Ｄ）に示すようにＢ成分の信号電荷は浅い電位井戸に蓄積されている。
【００６４】
図10を参照して，時刻ｔ24において，水平転送パルスＨＳ２がＨレベルに維持されている状態でライン・メモリ４にシフト・パルスが与えられると，水平転送電極12に対応してライン・メモリ４に蓄積されているＧ成分の信号電荷がライン・メモリ４から水平転送路５にシフトされる。図11（Ｅ）に示すように水平転送電極12の下の深い電位井戸にはＧ成分の信号電荷が蓄積され，水平電極14の下の浅い電位井戸にはＢ成分の信号電荷が蓄積されることとなる。
【００６５】
図10を参照して，時刻ｔ25において水平転送パルスＨＳ１およびＨＳ３がＨレベルとなると，図11（Ｆ）に示すように水平転送電極11および13の下の深い電位井戸にＧ成分の信号電荷およびＢ成分の信号電荷がそれぞれ転送させられる。
【００６６】
その後は，水平転送路に蓄積されたＧ成分の信号電荷とＢ成分の信号電荷とが水平転送させられるように水平転送路５が駆動させられる。Ｇ成分の信号電荷とＢ成分の信号電荷とは交互に分岐回路６に入力し，交互に入力する信号電荷が交互に第１の出力転送路７または第２の出力転送路９に振り分けられる。Ｇ成分の信号電荷は第１の出力転送路７に，Ｂ成分の信号電荷は第２の出力転送路９に与えられる。したがって，第１の出力回路８からはＧ成分の第１の映像信号が出力され，第２の出力回路10からはＢ成分の第２の映像信号が出力される。
【００６７】
図12は，第２フィールドに用いられるパターンIVのタイム・チャートの一例である。図13（Ａ）〜（Ｆ）は，パターンIVのタイム・チャートにもとづいて水平転送路５が駆動させられたときの信号電荷の転送の様子を示している。
【００６８】
図13（Ａ）を参照して，第２フィールドにおいては上述したように，ライン・メモリ５にＢ成分の信号電荷，Ｇ成分の信号電荷，Ｒ成分の信号電荷，Ｇ成分の信号電荷が周期的に一時的に記憶されている。
【００６９】
図12を参照して，時刻ｔ31において，水平転送電極13にＨレベルの水平転送パルスＨＳ３が与えられている状態で，ライン・メモリ４にシフト・パルスが与えられると，図13（Ｂ）に示すように水平転送電極ＨＳ３に対応して記憶されているＲ成分の信号電荷が水平転送路５にシフトされる。
【００７０】
図12を参照して，時刻ｔ32において，水平転送パルスＨＳ２がＨレベルとなると，図13（Ｃ）に示すように水平転送電極12の下の深い電位井戸にＲ成分の信号電荷がシフトされる。
【００７１】
図12を参照して，時刻ｔ33において，水平転送電極ＨＳ４にＨレベルの水平転送パルスＨＳ４が与えられると，図13（Ｄ）に示すように水平転送電極ＨＳ４の下に深い電位井戸が形成される。
【００７２】
図12を参照して，時刻ｔ34において，ライン・メモリ５にシフト・パルスが与えられると，図13（Ｅ）に示すように水平転送電極ＨＳ４に対応して記憶されているＧ成分の信号電荷が水平転送路５にシフトされる。水平転送電極ＨＳ４の下の電位井戸にはＧ成分の信号電荷が蓄積され，水平転送電極ＨＳ２の下の電位井戸にはＲ成分の信号電荷が蓄積される。
【００７３】
その後は，水平転送路５に蓄積されたＲ成分の信号電荷とＧ成分の信号電荷とが水平転送路５内を転送させられＧ成分の信号電荷は第１の出力回路７に，Ｒ成分の信号電荷は第２の出力回路９に与えられる。第１の出力回路８からはＧ成分の第１の映像信号が出力され，第２の出力回路９からはＲ成分の第２の映像信号が出力される。
【００７４】
図14は，上述したＣＣＤ１を用いたディジタル・カメラの電機的構成を示すブロック図である。
【００７５】
ディジタル・カメラの全体の動作は，ＣＰＵ46によって統括される。ディジタル・カメラには，電源ボタン，シャッタ・レリーズ・ボタン，モード・スイッチなどの各種スイッチ類から構成される操作装置47が含まれている。この操作装置47から出力される操作信号は，ＣＰＵ46に入力する。
【００７６】
ディジタル・カメラには，タイミング・ジェネレータ36から出力されるクロック・パルスにもとづいて動作するＯＦＤ（オーバ・フロー・ドレイン）ドライバ31，Ｖドライバ32，ＨＳドライバ33，ＨＰドライバ34，ＲＳドライバ35，ＬＭドライバ37が含まれている。これらのドライバ31〜35，37から出力されるパルスはＣＣＤ１に与えられる。ＯＦＤドライバ31からは，オーバ・フロー・ドレイン・パルスが出力されてＣＣＤ１に与えられる。Ｖドライバ32からは，垂直転送パルスが出力されて，上述のように，垂直転送パルスにもとづいて信号電荷が垂直転送路内を転送する。ＨＳドライバ33からは上述の水平転送パルスＨＳ１〜ＨＳが出力され，水平転送パルスＨＳ１〜ＨＳ４にもとづいて信号電荷が水平転送路内を転送する。ＨＰドライバ34からは出力転送パルスＨＰが出力され，信号電荷が第１の出力転送路および第２の出力転送路内を転送する。ＲＳドライバ35からはリセット・パルスが出力されて上述した第１の出力回路および第２の出力回路に与えられる。ＬＭドライバ37からはシフト・パルスが出力されて，上述したように，ライン・メモリに与えられる。
【００７７】
また，ＣＣＤ１には，分岐パルス発生回路30から出力される分岐パルスも与えられる。上述したように分岐パルスは，分岐回路に入力する。さらに，アンプ電源回路38から出力される電源は，ＣＣＤ１の第１の出力回路および第２の出力回路に与えられる。
【００７８】
上述したように，ＣＣＤ１からは第１の映像信号および第２の映像信号が出力される。第１の映像信号は第１の信号処理回路39に入力し，第２の映像信号は第２の信号処理回路42に入力する。第１の信号処理回路39には，第１の相関二重サンプリング回路40および第１のアナログ／ディジタル変換回路41が含まれている。第１の映像信号は，第１の相関二重サンプリング回路40において相関二重サンプリングが行われた後に，アナログ／ディジタル変換回路41において第１のディジタル画像データに変換される。第１のディジタル画像データは，第１の信号処理回路39から出力され，メモリ45に与えられて一時的に記憶される。第２の信号処理回路42には，第２の相関二重サンプリング回路43および第２のアナログ／ディジタル変換回路44が含まれている。第２の映像信号は，第２の相関二重サンプリング回路43において相関二重サンプリングが行われた後に，アナログ／ディジタル変換回路44において第２のディジタル画像データに変換される。第２のディジタル画像データは，第２の信号処理回路39から出力され，メモリ45に与えられて一時的に記憶される。
【００７９】
メモリ45に記憶された第１の画像データおよび第２の画像データは，信号処理回路50に入力する。信号処理回路50には，ＡＦ（自動合焦）演算回路51，ＡＥ（自動露光）演算回路52，ＡＷＢ（自動色バランス）演算回路53，ゲイン制御回路54，電源制御回路55，画素並び替え回路56などが含まれている。信号処理回路50において，自動合焦制御のための演算処理，自動露光制御のための演算処理，色バランス調整処理，ゲイン調整処理，電源制御処理，画素並び替え処理などが行われる。この信号処理回路50において，第１の画像データと第２の画像データとから一駒の画像を表す画像データが生成される。
【００８０】
信号処理回路50から出力された画像データは，圧縮／伸張回路61において圧縮される。圧縮された画像データがメディア・インターフェイス62を介してメモリ・カード63に与えられて記録される。もちろん，表示装置（図示略）に画像データが与えられることにより，撮像された被写体像を表示装置の表示画面に表示できるのはいうまでもない。
【００８１】
上述したように，第１フィールドにおいては，第１の映像信号はＲ成分とＢ成分とが交互に現れるものであり，第２の映像信号はＧ成分のものであり，第２フィールドにおいては，第１の映像信号はＧ成分のものであり，第２の映像信号はＢ成分とＲ成分とが交互に現れるものであるから，第１の信号処理回路39に入力する映像信号の色成分の割合と第２の信号処理回路42に入力する映像信号の色成分の割合とはほぼ均一となる。上述したように，第１の信号処理回路39の入出力特性と第２の信号処理回路40の入出力特性とが不一致でも，比較的適正な色バランス調整を実現できる。
【００８２】
図15は，ディジタル・カメラの処理手順を示すフローチャートである。
【００８３】
ディジタル・カメラの撮像電源がオンされると撮像シーケンスが開始する（ステップ71）。記録用駆動がオンとなると（ステップ72でＹＥＳ），上述したようにＣＣＤ１の第１フィールドの読み出しが行われ，第１フィールドの信号電荷が垂直転送させられる（ステップ73）。第１フィールドのパターンＩまたはパターンIIの水平転送パルス・パターンで信号電荷が水平転送させられる（ステップ74）。第１フィールドにおいて出力される第１の映像信号はＲ成分またはＢ成分からなり，第２の映像信号はＧ成分からなる。第１フィールドの第１の映像信号および第２の映像信号は，第１フィールド用の信号処理が行われて元の画素配置となるように画素の並び替え処理が行われる（ステップ75）。
【００８４】
つづいてＣＣＤ１の第２フィールドの読み出しが行われ，第２フィールドの信号電荷が垂直転送させられる（ステップ76）。第２フィールドのパターンIIIまたはパターンIVの水平転送パルス・パターンで信号電荷が水平転送させられる（ステップ77）。第２フィールドにおいて出力される第１の映像信号はＧからなり，第２の映像信号はＢ成分またはＧ成分からなる。第２フィールドの第１の映像信号および第２の映像信号は，第２フィールド用の信号処理が行われて元の画素配置となるように画素の並び替え処理が行われる（ステップ78）。
【００８５】
図16（Ａ）および（Ｂ）から図22は，変形例を示すものである。ＣＣＤは，図１に示したようにハニカム配列のものが利用される。
【００８６】
図16（Ａ）は第１フィールドのタイム・チャート等を示し，第16図（Ｂ）は第２フィールドのタイム・チャート等を示している。
【００８７】
図16（Ａ）を参照して，上述したのと同様に，水平同期信号の期間ＨＤ５の間は水平転送パルス・パターンＶであり，このパターンＶにしたがって水平転送路が駆動させられることにより，第１の映像信号はＲ成分のものとなり，第２の映像信号はＢ成分のものとなる。水平同期期間ＨＤ６の間はパターンVIであり，このパターンVIにしたがって水平転送路が駆動させられることにより，第1の映像信号および第２の映像信号はいずれもＧ成分のものとなる。このように，第１フィールドでは第１の映像信号はＲ成分とＧ成分とが交互に現れ，第２の映像信号はＢ成分とＧ成分とが交互に現れる。
【００８８】
図16（Ｂ）を参照して，第２フィールドにおいても水平同期信号の期間ＨＤ５の間は水平転送パルス・パターンＶであり，このパターンＶにしたがって水平転送路が駆動させられることにより，第１の映像信号はＢ成分のものとなり，第２の映像信号はＲ成分のものとなる。水平同期期間ＨＤ６の間はパターンVIであり，このパターンVIにしたがって水平転送路が駆動させられることにより，第1の映像信号および第２の映像信号はいずれもＧ成分のものとなる。このように，第２フィールドでは第１の映像信号はＢ成分とＧ成分とが交互に現れ，第２の映像信号はＲ成分とＧ成分とが交互に現れる。
【００８９】
図17は，第１フィールドおよび第２フィールドに共通に用いられるパターンＶのタイム・チャートの一例である。図18（Ａ）〜（Ｃ）は，パターンＶのタイム・チャートにもとづいて水平転送路５が駆動させられたときの信号電荷の転送の様子を示している。
【００９０】
図18（Ａ）を参照して，上述したのと同様に第１フィールドにおいては第４ｎ＋１行のフォトダイオード２および第４ｎ＋２行のフォトダイオード２に蓄積された信号電荷が読み出されるから，ライン・メモリ４には第４ｎ＋１行のフォトダイオード２の受光面に形成されているフィルタおよび第４ｎ＋２行のフォトダイオード２の受光面に形成されているフィルタに対応した２行分の信号電荷が蓄積される。水平転送路５の水平転送電極11，12，13，14にそれぞれ対応してＲ成分の信号電荷，Ｇ成分の信号電荷，Ｂ成分の信号電荷，Ｇ成分の信号電荷が周期的にそれぞれ蓄積される。
【００９１】
図17を参照して，水平転送パルスＨＳ１およびＨＳ３がＨレベルとなっており，水平転送パルスＨＳ２およびＨＳ４がＬレベルとなっている。時刻ｔ41においてライン・メモリ４にシフト・パルスが与えられると，図18（Ｂ）に示すように水平転送電極11および13に対応して記憶されているＲ成分の信号電荷およびＢ成分の信号電荷がライン・メモリ４から水平転送路５にシフトされる。
【００９２】
図17に示すように，水平転送パルスＨＳ１およびＨＳ３がＨレベルとなっており，水平転送パルスＨＳ２およびＨＳ４がＬレベルに維持されており，ライン・メモリ４にシフト・パルスが与えられても，図18（Ｃ）に示すように水平転送路５に記憶されているＲ成分の信号電荷およびＢ成分の信号電荷はその状態が維持されている。
【００９３】
水平転送路５には，Ｒ成分の信号電荷とＢ成分の信号電荷とが交互に蓄積されているから，上述したように，分岐回路６にこれらの信号電荷が順に入力することにより，分岐回路６により，Ｒ成分の信号電荷は第１の出力回路８に，Ｂ成分の信号電荷は第２の出力回路10に与えられるように振り分けられる。上述したように，パターンＶで水平転送路５が駆動させられると第１の映像信号はＲ成分のものとなり，第２の映像信号はＢ成分のものとなる。
【００９４】
図19は第１フィールドおよび第２フィールドに共通に利用されるパターンVIのタイム・チャートであり，図20（Ａ）〜（Ｃ）は信号電荷がライン・メモリ４から水平転送路５にシフトされる様子を示している。
【００９５】
図20（Ａ）を参照して，第１フィールドでは，ライン・メモリ４には水平転送路５の水平転送電極11，12，13，14にそれぞれ対応してＲ成分の信号電荷，Ｇ成分の信号電荷，Ｂ成分の信号電荷，Ｇ成分の信号電荷が周期的にそれぞれ蓄積される。
【００９６】
図19を参照して，パターンVIにおいては水平転送パルスＨＳ２およびＨＳ４がＨレベルとなっており，水平転送パルスＨＳ１およびＨＳ３がＬレベルとなっている。時刻ｔ51においてライン・メモリ４にシフト・パルスが与えられると，図20（Ｂ）に示すように水平転送電極12および14に対応して記憶されているＧ成分の信号電荷がライン・メモリ４から水平転送路５にシフトされる。
【００９７】
図19に示すように，水平転送パルスＨＳ２およびＨＳ４がＨレベルとなっており，水平転送パルスＨＳ１およびＨＳ３がＬレベルに維持されており，ライン・メモリ４にシフト・パルスが与えられても，図20（Ｃ）に示すように水平転送路５に記憶されているＧ成分の信号電荷はその状態が維持されている。
【００９８】
水平転送路５にはＧ成分の信号電荷が蓄積されているから，分岐回路６にこれらのＧ成分の信号電荷が順に入力することにより，分岐回路６により，Ｇ成分の信号電荷が交互に第１の出力回路８と第２の出力回路10とに与えられることになる。パターンVIで水平転送
路５が駆動させられると第１の映像信号および第２の映像信号は，Ｇ成分のものとなる。
【００９９】
図21（Ａ）〜（Ｃ）は第２フィールドのパターンＶにもとづいて水平転送路５が駆動させられるときにおいて，信号電荷がライン・メモリ４から水平転送路５にシフトされる様子を示している。
【０１００】
第２フィールドにおいては，ライン・メモリには第１の水平転送電極11，第２の水平転送電極12，第３の水平転送電極13および第４の水平転送電極14にそれぞれ対応して，Ｂ成分の信号電荷，Ｇ成分の信号電荷，Ｒ成分の信号電荷およびＧ成分の信号電荷がそれぞれ周期的に記憶されている。
【０１０１】
図17を参照して，水平転送パルスＨＳ１およびＨＳ３がＨレベルとなっており，水平転送パルスＨＳ２およびＨＳ４がＬレベルとなっているときに，時刻ｔ41においてライン・メモリ４にシフト・パルスが与えられると，図21（Ｂ）に示すように水平転送電極11および13に対応して記憶されているＢ成分の信号電荷およびＲ成分の信号電荷がライン・メモリ４から水平転送路５にシフトされる。
【０１０２】
図17に示すように，水平転送パルスＨＳ１およびＨＳ３がＨレベルとなっており，水平転送パルスＨＳ２およびＨＳ４がＬレベルに維持されているときに，時刻ｔ42においてライン・メモリ４にシフト・パルスが再び与えられても，図21（Ｃ）に示すように水平転送路５に記憶されているＢ成分の信号電荷およびＲ成分の信号電荷はその状態が維持されている。
【０１０３】
水平転送路５には，Ｂ成分の信号電荷とＧ成分の信号電荷とが交互に記憶されているから，第１の映像信号はＢ成分のものが，第２の映像信号は，Ｒ成分のものが出力される。
【０１０４】
図22（Ａ）〜（Ｃ）は，第２フィールドにおいてパターンVIIにより水平転送路５が駆動させられる場合に信号電荷がライン・メモリ４から水平転送路５にシフトされる様子を示している。
【０１０５】
図22（Ａ）を参照して，ライン・メモリ４にはＢ成分の信号電荷，Ｇ成分の信号電荷，Ｒ成分の信号電荷およびＧ成分の信号電荷が周期的に記憶されている。
【０１０６】
図19を参照して，水平転送パルスＨＳ２およびＨＳ４がＨレベルであり，水平転送パルスＨＳ１およびＨＳ３がＬレベルの場合に，時刻ｔ51においてライン・メモリ４にシフト・パルスが与えられると，図22（Ｂ）に示すように水平転送電極12および14に対応して記憶されているＧ成分の信号電荷がライン・メモリ４から水平転送路５にシフトされる。
【０１０７】
図19を参照して，水平転送パルスＨＳ２およびＨＳ４がＨレベルであり，水平転送パルスＨＳ１およびＨＳ３がＬレベルに維持されている状態において，時刻ｔ52においてライン・メモリ４にシフト・パルスが与えられても，図22（Ｃ）に示すように水平転送電極12および14に対応して記憶されているＧ成分の信号電荷はその状態が維持される。
【０１０８】
パターンVIで水平転送路５が駆動させられた場合には，第1の映像信号および第２の映像信号はいずれもＧ成分のものとなる。
【０１０９】
第１の映像信号または第２の映像信号のいずれか一方からのみＧ成分が出力される場合には，１行すべてがＧ成分となってしまうので第１の信号出力回路と第２の信号出力回路との出力差がある場合には横すじが発生することがあるが，第１フィールドおよび第２フィールドにおいてＧ成分が第１の映像信号と第２の映像信号から平均的に出力されるので，第１の信号出力回路と第２の信号出力回路との出力差があっても第１の信号出力回路から出力するＧ成分と第２の信号出力回路から出力するＧ成分との割合が平均的となり，横すじの発生を未然に防止できる。
【０１１０】
図23から図27（Ａ）〜（Ｃ）は，他の実施例を示すものである。
【０１１１】
図23は，ベイヤ配列のＣＣＤ80の模式図である。
【０１１２】
水平方向および垂直方向に多数のフォトダイオード81が配列されている。奇数列については奇数行に緑色の光成分を透過するＧフィルタがフォトダイオード81の受光面上に形成されており，偶数列については偶数行にＧフィルタがフォトダイオード81の受光面上に形成されている。奇数列の偶数行には赤色の光成分を透過するＲフィルタがフォトダイオード81の受光面上に形成されており，偶数列の奇数行には青色の光成分を透過するＢフィルタがフォトダイオード81の受光面上に形成されている。
【０１１３】
フォトダイオード81の各列の右側（左側でもよい）にはフォトダイオード81に蓄積された信号電荷を垂直方向に転送する垂直転送路82が設けられている。これらの垂直転送路82の出力側（下側）にはライン・メモリ83を介して２つの水平転送路84および85が設けられている。第１の水平転送路84の出力端には第１の出力回路85が接続されており，第２の水平転送路86の出力端には第２の出力回路87が接続されている。
【０１１４】
図23に示すＣＣＤ80においても第４ｎ＋１行のフォトダイオード81および第４ｎ＋２行のフォトダイオード81が第１フィールドを規定し，第４ｎ＋３行のフォトダイオード81および第４ｎ＋４行のフォトダイオード81が第２フィールドを規定する。
【０１１５】
図24（Ａ）〜（Ｃ）は，第１フィールドの第４ｎ＋１行のフォトダイオード81に蓄積された信号電荷をライン・メモリ83から第１の水平転送路84にシフトする様子を示している。
【０１１６】
第４ｎ＋１行のフォトダイオード81の受光面には，ＧフィルタとＢフィルタとが交互に形成されているから，第４ｎ＋１行のフォトダイオード81にはＧ成分の信号電荷とＢ成分の信号電荷とが交互に蓄積される。第４ｎ＋１行の１行分のフォトダイオード81に蓄積された信号電荷がライン・メモリ83に蓄積されると，図24（Ａ）に示すようにＧ成分の信号電荷とＢ成分の信号電荷とが交互に記憶される。
【０１１７】
ライン・メモリ83に１行分の信号電荷が蓄積されると，第１の水平転送路84のすべての転送電極にＨレベルの水平転送パルスが与えられ，第２の水平転送路86のすべての点素電極にはＬレベルの水平転送パルスが与えられる。これにより，図24（Ｂ）に示すように，ライン・メモリ83に記憶されていた１行分の信号電荷はすべて第１の水平転送路84にシフトされる。図24（Ｃ）に示すように，第２の水平転送路86には信号電荷はシフトされない。
【０１１８】
第１の水平転送路84に接続されている第１の出力回路85から第４ｎ＋１行のフォトダイオードに蓄積された信号電荷が出力される。
【０１１９】
図25（Ａ）〜（Ｃ）は，第１フィールドの第４ｎ＋２行のフォトダイオード81に蓄積された信号電荷をライン・メモリ83から第２の水平転送路85にシフトする様子を示している。
【０１２０】
第４ｎ＋２行のフォトダイオード81の受光面にはＲフィルタとＧフィルタとが交互に形成されているから，第４ｎ＋２行のフォトダイオード81にはＲ成分の信号電荷とＧ成分の信号電荷とが交互に蓄積される。第４ｎ＋２行の１行分のフォトダイオード81に蓄積された信号電荷がライン・メモリ83に蓄積されると，図25（Ａ）に示すように，Ｒ成分の信号電荷とＧ成分の信号電荷とが交互に記憶される。
【０１２１】
ライン・メモリ83に１行分の信号電荷が蓄積されると，第２の水平転送路86のすべての転送電極にＨレベルの水平転送パルスが与えられ，第１の水平転送路84のすべての点素電極にはＬレベルの水平転送パルスが与えられる。これにより，図25（Ｂ）に示すように，第１の水平転送路84には信号電荷はシフトされずに，図25（Ｂ）に示すように，ライン・メモリ83に記憶されていた１行分の信号電荷はすべて第２の水平転送路86にシフトされる。
【０１２２】
第２の水平転送路86に接続されている第２の出力回路86から第４ｎ＋２行のフォトダイオード81に蓄積された信号電荷が出力される。
【０１２３】
図26（Ａ）〜（Ｃ）は，第２フィールドの第４ｎ＋３行のフォトダイオード81に蓄積された信号電荷をライン・メモリ83から第２の水平転送路85にシフトする様子を示している。
【０１２４】
第４ｎ＋３行のフォトダイオード81の受光面にはＧフィルタとＢフィルタとが交互に形成されているから，第４ｎ＋３行のフォトダイオード81にはＧ成分の信号電荷とＢ成分の信号電荷とが交互に蓄積される。第４ｎ＋３行の１行分のフォトダイオード81に蓄積された信号電荷がライン・メモリ83に蓄積されると，図26（Ａ）に示すように，Ｇ成分の信号電荷とＢ成分の信号電荷とが交互に記憶される。
【０１２５】
ライン・メモリ83に１行分の信号電荷が蓄積されると，第２の水平転送路86のすべての転送電極にＨレベルの水平転送パルスが与えられ，第１の水平転送路84のすべての点素電極にはＬレベルの水平転送パルスが与えられる。これにより，図26（Ｂ）に示すように，第１の水平転送路84には信号電荷はシフトされずに，図26（Ｂ）に示すように，ライン・メモリ83に記憶されていた１行分の信号電荷はすべて第２の水平転送路86にシフトされる。
【０１２６】
第２の水平転送路86に接続されている第２の出力回路86から第４ｎ＋３行のフォトダイオード81に蓄積された信号電荷が出力される。
【０１２７】
図27（Ａ）〜（Ｃ）は，第２フィールドの第４ｎ＋４行のフォトダイオード81に蓄積された信号電荷をライン・メモリ83から第１の水平転送路84にシフトする様子を示している。
【０１２８】
第４ｎ＋４行のフォトダイオード81の受光面には，ＢフィルタとＧフィルタとが交互に形成されているから，第４ｎ＋４行のフォトダイオード81にはＢ成分の信号電荷とＧ成分の信号電荷とが交互に蓄積されている。第４ｎ＋４行の１行分のフォトダイオード81に蓄積された信号電荷がライン・メモリ83に蓄積されると，図26（Ａ）に示すようにＢ成分の信号電荷とＧ成分の信号電荷とが交互に記憶される。
【０１２９】
ライン・メモリ83に１行分の信号電荷が蓄積されると，第１の水平転送路84のすべての転送電極にＨレベルの水平転送パルスが与えられ，第２の水平転送路86のすべての点素電極にはＬレベルの水平転送パルスが与えられる。これにより，図27（Ｂ）に示すように，ライン・メモリ83に記憶されていた１行分の信号電荷はすべて第１の水平転送路84にシフトされる。図27（Ｃ）に示すように，第２の水平転送路86には信号電荷はシフトされない。
【０１３０】
第１の水平転送路84に接続されている第１の出力回路85から第４ｎ＋４行のフォトダイオードに蓄積された信号電荷が出力される。
【０１３１】
第１フィールドにおいては，第１の映像信号はＧ成分とＢ成分とが交互に現れるものとなり，第２の映像はＲ成分とＧ成分とが交互に現れるものとなる。第２フィールドにおいても，第１の映像信号はＢ成分とＧ成分とが交互に現れるものとなり，第２の映像信号はＧ成分とＢ成分とが交互に現れるものとなる。上述したように，均一な色成分の映像信号が第１の信号処理回路と第２の信号処理回路とに入力することとなる。
【０１３２】
図28から図38は，さらに他の実施例を示すものである。この実施例は，図１に示すハニカム配列のＣＣＤにおいて，第１フィールド（第２フィールドでもよい）に蓄積された信号電荷を読み出すときのものである。第１フィールドに蓄積された信号電荷を読み出す場合には，ＣＣＤ１のフォトダイオード２のうち第１フィールドのフォトダイオード２だけを抽出して構成されるＣＣＤと同じとなる。
【０１３３】
図28は，図１に示すハニカム配列のＣＣＤにおいて第１フィールドのフォトダイオード２を抽出して示すＣＣＤ１Ａの模式図である。
【０１３４】
ＣＣＤ１Ａの第４ｎ＋１列のフォトダイオード２の受光面にはＲフィルタが形成されており，第４ｎ＋２列および第４ｎ＋４列にはＧフィルタが形成されており，第４ｎ＋３列のフォトダイオード３にはＢフィルタが形成されている。
【０１３５】
図28において，第４ｍ（ｍは０以上の整数）＋１行および第４ｍ＋２行のフォトダイオード２を奇数フィールド，第４ｍ＋３行および第４ｍ＋４行のフォトダイオードを偶数フィールドと規定する。
【０１３６】
図29は，水平同期信号等のタイム・チャートである。
【０１３７】
上述したのと同様に１水平走査期間ごとに水平転送路の駆動パターンが変わる。奇数フィールドと偶数フィールドとが交互に読み出される。奇数フィールドではパターンVIIとパターンVIIIとなり，偶数フィールドではパターンIXとパターンＸとなる。
【０１３８】
パターンVIIのときには第１の映像信号はＢ成分のものとなり，第２の映像信号はＲ成分のものとなる。パターンVIIIおよびＸのときには第1の映像信号および第２の映像信号はＧ成分のものとなる。パターンIXのときには第１の映像信号はＲ成分のものとなり，第２の映像信号はＢ成分のものとなる。
【０１３９】
図30はパターンVIIのタイム・チャートであり，図31（Ａ）〜（Ｈ）はパターンVIIのときの信号電荷の転送の様子を示している。
【０１４０】
パターンVIIのときは，奇数フィールドのフォトダイオード２に蓄積された信号電荷がライン・メモリ４に記憶されるから，図31（Ａ）に示すようにライン・メモリ４にはＲ成分の信号電荷，Ｇ成分の信号電荷，Ｂ成分の信号電荷およびＧ成分の信号電荷が周期的に蓄積される。
【０１４１】
図30を参照してパターンVIIのときは，水平転送パルスＨＳ１がＨレベルとなり，時刻t61においてライン・メモリ４にシフト・パルスが与えられる。すると，図31（Ｂ）に示すように，水平転送電極11に対応して記憶されているＲ成分の信号電荷がライン・メモリ４から水平転送路５にシフトされる。
【０１４２】
図30の時刻ｔ62において，水平転送パルスがＨレベルからＬレベルに立ち下がっても水平転送電極11の下には浅い電位井戸が形成されているので，図31（Ｃ）に示すように水平転送電極11の下の浅い電位井戸にＲ成分の信号電荷が蓄積されている。
【０１４３】
図30の時刻ｔ63において，水平転送パルスＨＳ３がＨレベルに立ち上がると水平転送電極13の下に深い電位井戸が形成される。ライン・メモリ４にはシフト・パルスが与えられないので図31（Ｄ）に示すように，水平転送電極13の下の電位井戸には信号電荷は蓄積されない。
【０１４４】
図30の時刻ｔ64において，水平転送パルスＨＳ３がＨレベルに維持されているときにライン・メモリ４にシフト・パルスが与えられると，図31（Ｅ）に示すように水平転送パルスＨＳ３に対応してライン・メモリ４に記憶されているＢ成分の信号電荷が水平転送路５にシフトされる。
【０１４５】
図30の時刻ｔ65において，水平転送パルスＨＳ１がＨレベルに立ち上がると水平転送電極11下に深い電位井戸が形成され，図31（Ｆ）に示すようにＲ成分の信号電荷が蓄積される。
【０１４６】
図30の時刻ｔ66において，水平転送パルスＨＳ１およびＨＳ３がＬレベルに立下り，水平転送パルスＨＳ２およびＨＳ４がＨレベルに立ち上がると，図31（Ｇ）に示すように水平転送電極12および14の下の電位井戸に信号電荷が転送される。
【０１４７】
図30の時刻ｔ67において，水平転送パルスＨＳ１およびＨＳ３がＨレベルに立ち上がり，水平転送パルスＨＳ２およびＨＳ４がＬレベルに立ち下がると，図31（Ｈ）に示すように水平転送電極11および13の下の電位井戸に信号電荷が転送される。
【０１４８】
パターンVIIのときには，Ｂ成分の信号電荷とＲ成分の信号電荷とが分岐回路６において振り分けられるので，第１の映像信号はＢ成分のものとなり，第２の映像信号はＲ成分のものとなる。
【０１４９】
図32はパターンVIIIのタイム・チャートであり，図33（Ａ）〜（Ｇ）はパターンVIIIのときの信号電荷の転送の様子を示している。
【０１５０】
パターンVIIIのときもパターンVIIのときと同様に，図33（Ａ）に示すようにライン・メモリ４にはＲ成分の信号電荷，Ｇ成分の信号電荷，Ｂ成分の信号電荷およびＧ成分の信号電荷が周期的に蓄積される。
【０１５１】
パターンVIIIのときは，図32において，水平転送パルスＨＳ２がＨレベルとなり，時刻ｔ71においてライン・メモリ４にシフト・パルスが与えられる。すると図33（Ｂ）に示すように水平転送電極12の下にＧ成分の信号電荷が蓄積される。
【０１５２】
図32の時刻ｔ72において，水平転送パルスＨＳ２がＬレベルに立ち下がっても水平転送電極12の下には浅い電位井戸が形成されているために，図33（Ｃ）に示すように，水平転送電極12の下にＧ成分の信号電荷が蓄積されている。
【０１５３】
図32の時刻ｔ73において，水平転送パルスＨＳ４がＨレベルに立ち上がると水平転送電極14の下に深い電位井戸が形成されるが，ライン・メモリ４にはシフト・パルスが与えられていないので，図33（Ｄ）に示すように，水平転送電極14の下には信号電荷は蓄積されない。
【０１５４】
図32の時刻ｔ74において，ライン・メモリ４にシフト・パルスが与えられると水平転送電極14に対応してライン・メモリ４に記憶されているＧ成分の信号電荷がライン・メモリ４から水平転送路５にシフトされる。図33（Ｅ）に示すように，水平転送電極12および14の下にＧ成分の信号電荷が蓄積される。
【０１５５】
図32の時刻ｔ75において，水平転送パルスＨＳ２およびＨＳ４がＨレベルに立ち上がると，水平転送電極12および14の下に深い電位井戸が蓄積され，図33（Ｆ）に示すように，それらの電位井戸にＧ成分の信号電荷が蓄積される。
【０１５６】
図32の時刻ｔ76において，水平転送パルスＨＳ１およびＨＳ３がＨレベルに立ち上がると，図33（Ｇ）に示すように，水平転送電極11および13の下に信号電荷が転送させられる。
【０１５７】
パターンVIIIのときには，第１の映像信号および第２の映像信号のいずれもＧ成分のものとなる。
【０１５８】
図34はパターンIXのタイム・チャートであり，図35（Ａ）〜（Ｃ）はパターンIXのときの信号電荷の転送の様子を示している。
【０１５９】
パターンIXのときも上述したのと同様に，図35（Ａ）に示すようにライン・メモリ４にはＲ成分の信号電荷，Ｇ成分の信号電荷，Ｂ成分の信号電荷およびＧ成分の信号電荷が周期的に蓄積される。
【０１６０】
図34に示すように，パターンIXのときには，水平転送パルスＨＳ１およびＨＳ３がＨレベルとなり，水平転送パルスＨＳ２およびＨＳ４がＬレベルとなる。時刻ｔ81においてライン・メモリ４にシフト・パルスが与えられると，図35（Ｂ）に示すように，水平転送電極11および13に対応して記憶されているＲ成分の信号電荷およびＢ成分の信号電荷がライン・メモリ４から水平転送路５にシフトされる。
【０１６１】
図34の時刻t82においてライン・メモリ４にシフト・パルスが与えられても図35（Ｃ）に示すように，水平転送電極11および13の下にＲ成分の信号電荷およびＢ成分の信号電荷が蓄積された状態となる。
【０１６２】
その後，これらのＲ成分の信号電荷およびＢ成分の信号電荷が分岐回路６に与えられることにより，Ｒ成分の信号電荷とＢ成分の信号電荷とが振り分けられて第１の映像信号はＲ成分のものとなり,第２の映像信号はＢ成分のものとなる。
【０１６３】
図36はパターンＸのタイム・チャートであり，図37（Ａ）〜（Ｄ）はパターンＸのときの信号電荷の転送の様子を示している。
【０１６４】
図37（Ａ）に示すように，ライン・メモリ４にはＲ成分の信号電荷，Ｇ成分の信号電荷，Ｂ成分の信号電荷およびＧ成分の信号電荷が周期的に蓄積されている。
【０１６５】
図36において，水平転送パルスＨＳ２およびＨＳ４はＨレベルであり，水平転送パルスＨＳ１およびＨＳ３はＬレベルとなっている。時刻ｔ91においてライン・メモリ４にシフト・パルスが与えられると，図37（Ｂ）に示すように，水平転送電極12および14に対応して蓄積されているＧ成分の信号電荷が水平転送路５にシフトされる。
【０１６６】
図36の時刻ｔ92においてライン・メモリ４にシフト・パルスが与えられても，図37（Ｃ）に示すように水平転送電極12および14下に蓄積されている信号電荷の状態は変わらない。
【０１６７】
図36の時刻ｔ93において，水平転送パルスＨＳ１およびＨＳ３がＨレベルとなり，水平転送パルスＨＳ２およびＨＳ４がＬレベルとなると，図37（Ｄ）に示すように信号電荷は水平転送電極11および13の下に転送させられる。
【０１６８】
第１の映像信号および第２の映像信号はいずれもＧ成分のものとなる。
【０１６９】
図38は，上述した第１フィールドのみからの読み出し処理手順を示すフローチャートである。
【０１７０】
撮像電源がオンとなり撮像シーケンスが開始すると（ステップ91），片フィールド（第１フィールド）読み出しに設定される（ステップ92）。記録用駆動がオンされると（ステップ93でＹＥＳ），第１フィールドのフォトダイオードに蓄積された信号電荷が垂直転送路にシフトされて，垂直転送させられる（ステップ94）。
【０１７１】
垂直転送が終了していなければ（ステップ95），２行分の信号電荷がライン・メモリに蓄積され（この２行分の信号電荷は偶数フィールドのものである），上述したように偶数フィールドの転送（パターンIXおよびパターンＸ）で偶数フィールドの信号電荷が水平転送路を水平転送させられる（ステップ96）。偶数フィールドの映像信号用の信号処理が行われる（ステップ97）。
【０１７２】
つづいて，次の２行分の信号電荷がライン・メモリに蓄積され（この２行分の信号電荷は奇数フィールドのものである），上述したように奇数フィールドの転送（パターンVIIおよびパターンVIII）で奇数フィールドの信号電荷が水平転送路を水平転送させられる（ステップ98）。奇数フィールドの映像信号用の信号処理が行われる（ステップ99）。
【０１７３】
図39は，図１に示すハニカム配列（ベイヤ配列でも同様の処理をできる）のフォトダイオードの一部を示している。
【０１７４】
上述したように，偶数行のフォトダイオード２には青色の光成分を透過するｂフィルタまたは赤色の光成分を透過するｒフィルタが受光面上に形成されている。奇数行のフォトダイオード２には緑色の光成分を透過するｇフィルタが受光面上に形成されている。
【０１７５】
図16に示すようにパターンＶまたはパターンVIにもとづいて水平転送路が駆動させられると，画素ｇ６が第２の出力回路10から出力される場合には，画素ｇ６の回りの画素画素ｇ５，画素ｇ10，画素ｇ２，画素ｇ７は，第１の出力回路８から出力される。この実施例においては，画素ｇ６と，画素ｇ５，画素ｇ10，画素ｇ２，画素ｇ７とのように，所定の画素とその画素の回りの画素の信号処理回路の出力差が２％以上ある箇所が所定数以上検出されるとノイズ低減処理におけるノイズ低減の程度が強くされ，より多くのノイズが除去されるようになる。ノイズ低減処理により，画像はなめらかになるので第１の信号処理回路と第２の信号処理回路との出力差により第１の映像信号と第２の映像信号とのレベル差が生じてもそのレベル差を是正できる。
【０１７６】
図39は，そのノイズ低減処理の処理手順を示すフローチャートである。
【０１７７】
撮像電源がオンされ，撮像シーケンスが開始すると（ステップ101），被写体が撮像され，上述の方法によりＣＣＤから第１の映像信号および第２の映像信号が出力される。出力された第１の映像信号および第２の映像信号を用いて自動露光処理および自動合焦処理が行われる（ステップ102）。
【０１７８】
上述したように，Ｇ画素（ｇ画素）の出力差が２％以上となると（ステップ103でＹＥＳ），撮像により得られた第１の映像信号および第２の映像信号（第１の画像データおよび第２の画像データ）についてのノイズ低減の程度が強くなるようにノイズ・フィルタの強度が強くされてノイズ低減処理が行われる（ステップ104）。出力差が２％未満であれば（ステップ103でＮＯ），ステップ104の処理はスキップされる。その後，ノイズ・フィルタの強度が強くされてノイズ低減処理された，あるいはノイズ・フィルタの強度が強くされずにノイズ低減処理された第１の画像データおよび第２の画像データがメモリ・カードに記録される（ステップ105）。ノイズ低減処理は信号処理回路において行われるのはいうまでもない。
【０１７９】
図41は，他の処理手順を示すもので，アナログ信号処理回路におけるゲインに応じてＣＣＤの駆動方法を変えるものである。
【０１８０】
撮像電源がオンされ，撮像シーケンスが開始すると（ステップ111），自動露光処理および自動合焦処理が行われ（ステップ112），第１の映像信号および第２の映像信号が得られる。
【０１８１】
アナログ信号処理回路のゲインが30dB以上であれば（ステップ113でＹＥＳ），図16に示したようにＣＣＤが駆動させられる（ステップ114）。アナログ信号処理回路のゲインが30dB未満であれば，図２に示したように従来のＣＣＤの駆動が行われる（ステップ  115）。その後，得られた映像信号（画像データ）がメモリ・カードに記録される（ステップ116）。
【０１８２】
高感度の場合には水平ラインごとのレベル差が目立つが，高感度の場合には図16に示したように水平ラインごとのレベル差が目立たないような駆動が行われる。
【０１８３】
図42は，さらに他の処理手順を示している。
【０１８４】
撮像電源がオンされ，撮像シーケンスが開始すると（ステップ121），被写体が撮像され第１の映像信号および第２の映像信号が得られる。得られた映像信号から自動露光処理および自動合焦処理が行われる（ステップ122）。
【０１８５】
信号処理回路の駆動周波数が40MHz以上の場合には（ステップ123でＹＥＳ），信号処理回路により生じる出力差がより顕著になるために，図16に示すように高周波用駆動が行われる（ステップ124）。信号処理回路の駆動周波数が40MHz未満の場合には（ステップ123でＮＯ），図２に示すような通常駆動が行われる（ステップ125）。得られた映像信号（画像データ）がメモリ・カードに記録される（ステップ126）。
【図面の簡単な説明】
【０１８６】
【図１】ＣＣＤの模式図である。
【図２】従来の第１の映像信号と第２の映像信号とを示している。
【図３】信号処理回路の入出力特性を示している。
【図４】（Ａ）は水平転送路の構造を示し，（Ｂ）〜（Ｄ）は信号電荷の転送の様子を示している。
【図５】（Ａ）は第１フィールドの水平転送パルス・パターン等を示し，（Ｂ）は第２フィールドの水平転送パルス・パターン等を示している。
【図６】パターンＩのタイム・チャートを示している。
【図７】（Ａ）〜（Ｈ）は信号電荷の転送の様子を示している。
【図８】パターンIIのタイム・チャートである。
【図９】（Ａ）〜（Ｅ）は信号電荷の転送の様子を示している。
【図１０】パターンIIIのタイム・チャートである。
【図１１】（Ａ）〜（Ｆ）は信号電荷の転送の様子を示している。
【図１２】パターンIVのタイム・チャートである。
【図１３】（Ａ）〜（Ｅ）は信号電荷の転送の様子を示している。
【図１４】ディジタル・カメラの電気的構成を示すブロック図である。
【図１５】ディジタル・スチル・カメラの処理手順を示すフローチャートである。
【図１６】（Ａ）は第１フィールドの水平転送パルス・パターン等を示し，（Ｂ）は第２フィールドの水平転送パルス・パターン等を示している。
【図１７】パターンＶのタイム・チャートである。
【図１８】（Ａ）〜（Ｃ）は信号電荷の転送の様子を示している。
【図１９】パターンVIのタイム・チャートである。
【図２０】（Ａ）〜（Ｃ）は信号電荷の転送の様子を示している。
【図２１】パターンＶのタイム・チャートである。
【図２２】パターンVIのタイム・チャートである。
【図２３】ＣＣＤの模式図である。
【図２４】（Ａ）〜（Ｃ）は信号電荷の転送の様子を示している。
【図２５】（Ａ）〜（Ｃ）は信号電荷の転送の様子を示している。
【図２６】（Ａ）〜（Ｃ）は信号電荷の転送の様子を示している。
【図２７】（Ａ）〜（Ｃ）は信号電荷の転送の様子を示している。
【図２８】ＣＣＤの模式図である。
【図２９】水平転送パルスの駆動パターン等を示している。
【図３０】パターンVIIのタイム・チャートである。
【図３１】（Ａ）〜（Ｈ）は信号電荷の転送の様子を示している。
【図３２】パターンVIIIのタイム・チャートである。
【図３３】（Ａ）〜（Ｇ）は信号電荷の転送の様子を示している。
【図３４】パターンIXのタイム・チャートである。
【図３５】（Ａ）〜（Ｃ）は信号電荷の転送の様子を示している。
【図３６】パターンＸのタイム・チャートである。
【図３７】（Ａ）〜（Ｄ）は信号電荷の転送の様子を示している。
【図３８】ディジタル・カメラの処理手順を示すフローチャートである。
【図３９】フォトダイオードの配列の一部を示している。
【図４０】ディジタル・カメラの処理手順を示すフローチャートである。
【図４１】ディジタル・カメラの処理手順を示すフローチャートである。
【図４２】ディジタル・カメラの処理手順を示すフローチャートである。
【符号の説明】
【０１８７】
１，１Ａ，８  ＣＣＤ
２，81  フォトダイオード
３，82  垂直転送路
４，83  ライン・メモリ
５，85，86  水平転送路
６  分岐回路
８  第１の出力回路
10  第２の出力回路
39  第１の信号処理回路
40  第２の信号処理回路
【図１】
2009065506.tif 000003
【図２】
2009065506.tif 000004
【図３】
2009065506.tif 000005
【図４】
2009065506.tif 000006
【図５】
2009065506.tif 000007
【図６】
2009065506.tif 000008
【図７】
2009065506.tif 000009
【図８】
2009065506.tif 000010
【図９】
2009065506.tif 000011
【図１０】
2009065506.tif 000012
【図１１】
2009065506.tif 000013
【図１２】
2009065506.tif 000014
【図１３】
2009065506.tif 000015
【図１４】
2009065506.tif 000016
【図１５】
2009065506.tif 000017
【図１６】
2009065506.tif 000018
【図１７】
2009065506.tif 000019
【図１８】
2009065506.tif 000020
【図１９】
2009065506.tif 000021
【図２０】
2009065506.tif 000022
【図２１】
2009065506.tif 000023
【図２２】
2009065506.tif 000024
【図２３】
2009065506.tif 000025
【図２４】
2009065506.tif 000026
【図２５】
2009065506.tif 000027
【図２６】
2009065506.tif 000028
【図２７】
2009065506.tif 000029
【図２８】
2009065506.tif 000030
【図２９】
2009065506.tif 000031
【図３０】
2009065506.tif 000032
【図３１】
2009065506.tif 000033
【図３２】
2009065506.tif 000034
【図３３】
2009065506.tif 000035
【図３４】
2009065506.tif 000036
【図３５】
2009065506.tif 000037
【図３６】
2009065506.tif 000038
【図３７】
2009065506.tif 000039
【図３８】
2009065506.tif 000040
【図３９】
2009065506.tif 000041
【図４０】
2009065506.tif 000042
【図４１】
2009065506.tif 000043
【図４２】
2009065506.tif 000044